(57)【要約】　　　（修正有）【課題】広告用着衣の表面に表示するデザイン画像を公募形式で決定することにより、広告主の広告コンセプトに最も合致するデザイン画像を広告主に提供する広告用デザイン募集装置、広告用デザイン募集方法、広告用デザイン募集処理プログラムの提供。【課題手段】広告主の端末１２から広告コンセプトをデザイン募集サーバ１１に登録するステップ。一般会員端末１３に対して広告コンセプトを公開するステップ。一般会員端末から広告コンセプトに合うデザイン画像をデザイン募集サーバに登録するステップ。デザイン募集サーバに登録されたデザイン画像を、一般会員端末に公開するステップ。デザイン画像のランク付けするために投票入力を促すデザイン公開ステップ。デザイン画像の投票入力を一般会員端末から受付けるデザイン投票受付ステップ。広告用着衣の表面に表示されるデザイン画像を決定するデザイン決定ステップとを備える。【選択図】　図２
2004021798.tif 000002
【特許請求の範囲】
【請求項１】
複数の端末と、広告主により提供される広告用着衣の表面に表示されるデザイン画像を募集する広告用デザイン募集装置と、前記複数の端末と前記広告デザイン募集装置とを接続するためのネットワークと、を備えた広告用デザイン募集システムであって、
前記広告デザイン募集装置は、
前記広告主から提供された広告コンセプトを、前記ネットワーク上で前記複数の端末に対して公開するとともに、当該広告コンセプトに合うデザイン画像を募集するデザイン募集手段と、
前記デザイン画像の募集に対して前記複数の端末から前記ネットワークを介して提供されたデザイン画像を受付け、データベースに登録するデザイン登録手段と、
前記データベースに登録された複数のデザイン画像を、前記ネットワーク上で、前記複数の端末に対して公開するとともに、当該デザイン画像の投票入力を促すデザイン公開手段と、
前記デザイン画像の投票入力の促しに対して当該デザイン画像の投票入力を前記複数の端末から前記ネットワークを介して受付けるデザイン投票受付手段と、前記受付けられた投票結果に基づいて、前記登録された複数のデザイン画像のうち、前記広告用着衣の表面に表示されるべきデザイン画像を決定するデザイン決定手段と、を備えることを特徴とする広告用デザイン募集システム。
【請求項２】
複数の端末と、広告主により提供される広告用着衣の表面に表示されるデザイン画像を募集する広告用デザイン募集装置と、前記複数の端末と前記広告デザイン募集装置とを接続するためのネットワークと、を備えた広告用デザイン募集システムであって、
前記広告デザイン募集装置は、
前記広告主から提供された広告コンセプトを、前記ネットワーク上で前記複数の端末に対して公開するとともに、当該広告コンセプトに合うデザイン画像を募集するデザイン募集手段と、
前記デザイン画像の募集に対して前記複数の端末から前記ネットワークを介して提供されたデザイン画像を受付け、データベースに登録するデザイン登録手段と、
前記データベースに登録された複数のデザイン画像を、前記ネットワーク上で、前記複数の端末に対して公開するとともに、当該デザイン画像の投票入力を促すデザイン公開手段と、
前記デザイン画像の投票入力の促しに対して当該デザイン画像の投票入力を前記複数の端末から前記ネットワークを介して受付ける第１デザイン投票受付手段と、
前記受付けられた投票結果に基づいて、前記登録された複数のデザイン画像のうちから所定数のデザイン画像に絞り込むデザイン絞込手段と、
前記絞り込まれた所定数のデザイン画像を、前記ネットワーク上で、前記複数の端末に対して公開するとともに、当該所定数のデザイン画像の投票入力を促す絞込デザイン公開手段と、
前記所定数のデザイン画像の投票入力の促しに対して当該デザイン画像の投票入力を前記複数の端末から前記ネットワークを介して受付ける第２デザイン投票受付手段と、
前記第２デザイン投票受付手段により受付けられた投票結果に基づいて、前記広告用着衣の表面に表示されるべきデザイン画像を決定するデザイン決定手段と、を備えることを特徴とする広告用デザイン募集システム。
【請求項３】
複数の端末と、広告主により提供される広告用着衣の表面に表示されるデザイン画像を募集する広告用デザイン募集装置と、前記複数の端末と前記広告デザイン募集装置とを接続するためのネットワークと、を備えた広告用デザイン募集システムであって、
前記広告デザイン募集装置は、
前記広告主から提供された広告コンセプトを、前記ネットワーク上で前記複数の端末に対して公開するとともに、当該広告コンセプトに合うデザイン画像を募集するデザイン募集手段と、
前記デザイン画像の募集に対して前記複数の端末から前記ネットワークを介して提供されたデザイン画像を受付け、データベースに登録するデザイン登録手段と、
前記データベースに登録された複数のデザイン画像を、前記ネットワーク上で、前記複数の端末に対して公開するとともに、当該デザイン画像の投票入力を促すデザイン公開手段と、
前記デザイン画像の投票入力の促しに対して当該デザイン画像の投票入力を前記複数の端末から前記ネットワークを介して受付ける第１デザイン投票受付手段と、
前記受付けられた投票結果に基づいて、前記登録された複数のデザイン画像の人気度を示すランキングを決定するランキング決定手段と、
前記決定された人気度を示すランキングを前記ネットワーク上で、前記複数の端末に対して公開するとともに、当該ランキング中のデザイン画像の投票入力を促すランキング公開手段と、
前記ランキング中のデザイン画像の投票入力の促しに対して当該デザイン画像の投票入力を前記複数の端末から前記ネットワークを介して受付ける第２デザイン投票受付手段と、
前記第２デザイン投票受付手段により受付けられた投票結果に基づいて、前記広告用着衣の表面に表示されるべきデザイン画像を決定するデザイン決定手段と、を備えることを特徴とする広告用デザイン募集システム。
【請求項４】
ネットワークに接続され、広告主により提供される広告用着衣の表面に表示されるデザイン画像を募集する広告用デザイン募集装置であって、
前記広告主から提供された広告コンセプトを、前記ネットワーク上で、これに接続される複数の端末に対して公開するとともに、当該広告コンセプトに合うデザイン画像を募集するデザイン募集手段と、
前記デザイン画像の募集に対して前記複数の端末から前記ネットワークを介して提供されたデザイン画像を受付け、データベースに登録するデザイン登録手段と、
前記データベースに登録された複数のデザイン画像を、前記ネットワーク上で、前記複数の端末に対して公開するとともに、当該デザイン画像の投票入力を促すデザイン公開手段と、
前記デザイン画像の投票入力の促しに対して当該デザイン画像の投票入力を前記複数の端末から前記ネットワークを介して受付けるデザイン投票受付手段と、前記受付けられた投票結果に基づいて、前記登録された複数のデザイン画像のうち、前記広告用着衣の表面に表示されるべきデザイン画像を決定するデザイン決定手段と、を備えることを特徴とする広告用デザイン募集装置。
【請求項５】
請求項４に記載の広告用デザイン募集装置において、
前記デザイン公開手段は、前記データベースに登録された複数のデザイン画像を、前記ネットワーク上で、前記複数の端末のうち予め設定された特定の端末のみに対して公開するとともに、当該デザイン画像の投票入力を促し、
前記デザイン投票受付手段は、前記デザイン画像の投票入力の促しに対して当該デザイン画像の投票入力を前記特定の端末から前記ネットワークを介して受付けるものであって、
前記デザイン決定手段は、前記特定の端末から受付けられた投票結果に基づいて、前記登録された複数のデザイン画像のうち、前記広告用着衣の表面に表示されるべきデザイン画像を決定することを特徴とする広告用デザイン募集装置。
【請求項６】
請求項４または５に記載の広告用デザイン募集装置において、
前記デザイン画像の投票入力が受付けられる毎に、これに対応するデザイン画像に対応付けて、予め設定されたポイント数を前記データベースに登録するポイント登録手段をさらに備え、
前記デザイン決定手段は、前記登録されたポイント数を前記デザイン画像毎に集計し、当該集計結果に基づいて、前記登録された複数のデザイン画像のうち、前記広告用着衣の表面に表示されるべきデザイン画像を決定することを特徴とする広告用デザイン募集装置。
【請求項７】
請求項４に記載の広告用デザイン募集装置において、
前記デザイン画像の投票入力が受付けられる毎に、これに対応するデザイン画像に対応付けて、予め設定されたポイント数を前記データベースに登録するポイント登録手段と、
前記受付けられた前記デザイン画像の投票入力を行った端末が予め設定された特定の端末であるか否かを判断する端末判断手段と、をさらに備え、
前記ポイント登録手段は、前記受付けられたデザイン画像の投票入力が前記特定の端末からの投票入力であった場合には、前記特定の端末以外からの投票入力のときよりも高いポイント数を、当該デザイン画像に対応付けて前記データベースに登録し、
前記デザイン決定手段は、前記登録されたポイント数を前記デザイン画像毎に集計し、当該集計結果に基づいて、前記登録された複数のデザイン画像のうち、前記広告用着衣の表面に表示されるべきデザイン画像を決定することを特徴とする広告用デザイン募集装置。
【請求項８】
ネットワークに接続され、広告主により提供される広告用着衣の表面に表示されるデザイン画像を募集する広告用デザイン募集装置であって、
前記広告主から提供された広告コンセプトを、前記ネットワーク上で、これに接続される複数の端末に対して公開するとともに、当該広告コンセプトに合うデザイン画像を募集するデザイン募集手段と、
前記デザイン画像の募集に対して前記複数の端末から前記ネットワークを介して提供されたデザイン画像を受付け、データベースに登録するデザイン登録手段と、
前記データベースに登録された複数のデザイン画像を、前記ネットワーク上で、前記複数の端末に対して公開するとともに、当該デザイン画像の投票入力を促すデザイン公開手段と、
前記デザイン画像の投票入力の促しに対して当該デザイン画像の投票入力を前記複数の端末から前記ネットワークを介して受付ける第１デザイン投票受付手段と、
前記受付けられた投票結果に基づいて、前記登録された複数のデザイン画像のうちから所定数のデザイン画像に絞り込むデザイン絞込手段と、
前記絞り込まれた所定数のデザイン画像を、前記ネットワーク上で、前記複数の端末に対して公開するとともに、当該所定数のデザイン画像の投票入力を促す絞込デザイン公開手段と、
前記所定数のデザイン画像の投票入力の促しに対して当該デザイン画像の投票入力を前記複数の端末から前記ネットワークを介して受付ける第２デザイン投票受付手段と、
前記第２デザイン投票受付手段により受付けられた投票結果に基づいて、前記広告用着衣の表面に表示されるべきデザイン画像を決定するデザイン決定手段と、を備えることを特徴とする広告用デザイン募集装置。
【請求項９】
請求項８に記載の広告用デザイン募集装置において、
前記デザイン公開手段は、前記データベースに登録された複数のデザイン画像を、前記ネットワーク上で、前記複数の端末のうち予め設定された特定の端末のみに対して公開するとともに、当該デザイン画像の投票入力を促し、
前記第１デザイン投票受付手段は、前記デザイン画像の投票入力の促しに対して当該デザイン画像の投票入力を前記特定の端末から前記ネットワークを介して受付けるものであって、
前記デザイン絞込手段は、前記特定の端末から受付けられた投票結果に基づいて、前記登録された複数のデザイン画像のうちから所定数のデザイン画像に絞り込むことを特徴とする広告用デザイン募集装置。
【請求項１０】
請求項８または９に記載の広告用デザイン募集装置において、
前記第１デザイン投票受付手段によりデザイン画像の投票入力が受付けられる毎に、これに対応するデザイン画像に対応付けて、予め設定されたポイント数を前記データベースに登録するポイント登録手段をさらに備え、
前記デザイン絞込手段は、前記登録されたポイント数を前記デザイン画像毎に集計し、当該集計結果に基づいて、前記登録された複数のデザイン画像のうちから所定数のデザイン画像に絞り込むことを特徴とする広告用デザイン募集装置。
【請求項１１】
請求項８に記載の広告用デザイン募集装置において、
前記第１デザイン投票受付手段によりデザイン画像の投票入力が受付けられる毎に、これに対応するデザイン画像に対応付けて、予め設定されたポイント数を前記データベースに登録するポイント登録手段と、
前記第１デザイン投票受付手段により受付けられた前記デザイン画像の投票入力を行った端末が予め設定された特定の端末であるか否かを判断する端末判断手段と、をさらに備え、
前記ポイント登録手段は、前記第１デザイン投票受付手段により受付けられたデザイン画像の投票入力が前記特定の端末からの投票入力であった場合には、前記特定の端末以外からの投票入力のときよりも高いポイント数を、当該デザイン画像に対応付けて前記データベースに登録し、
前記デザイン絞込手段は、前記登録されたポイント数を前記デザイン画像毎に集計し、当該集計結果に基づいて、前記登録された複数のデザイン画像のうちから所定数のデザイン画像に絞り込むことを特徴とする広告用デザイン募集装置。
【請求項１２】
ネットワークに接続され、広告主により提供される広告用着衣の表面に表示されるデザイン画像を募集する広告用デザイン募集装置であって、
前記広告主から提供された広告コンセプトを、前記ネットワーク上で、これに接続される複数の端末に対して公開するとともに、当該広告コンセプトに合うデザイン画像を募集するデザイン募集手段と、
前記デザイン画像の募集に対して前記複数の端末から前記ネットワークを介して提供されたデザイン画像を受付け、データベースに登録するデザイン登録手段と、
前記データベースに登録された複数のデザイン画像を、前記ネットワーク上で、前記複数の端末に対して公開するとともに、当該デザイン画像の投票入力を促すデザイン公開手段と、
前記デザイン画像の投票入力の促しに対して当該デザイン画像の投票入力を前記複数の端末から前記ネットワークを介して受付ける第１デザイン投票受付手段と、
前記受付けられた投票結果に基づいて、前記登録された複数のデザイン画像の人気度を示すランキングを決定するランキング決定手段と、
前記決定された人気度を示すランキングを前記ネットワーク上で、前記複数の端末に対して公開するとともに、当該ランキング中のデザイン画像の投票入力を促すランキング公開手段と、
前記ランキング中のデザイン画像の投票入力の促しに対して当該デザイン画像の投票入力を前記複数の端末から前記ネットワークを介して受付ける第２デザイン投票受付手段と、
前記第２デザイン投票受付手段により受付けられた投票結果に基づいて、前記広告用着衣の表面に表示されるべきデザイン画像を決定するデザイン決定手段と、を備えることを特徴とする広告用デザイン募集装置。
【請求項１３】
請求項１２に記載の広告用デザイン募集装置において、
前記デザイン公開手段は、前記データベースに登録された複数のデザイン画像を、前記ネットワーク上で、前記複数の端末のうち予め設定された特定の端末のみに対して公開するとともに、当該デザイン画像の投票入力を促し、
前記第１デザイン投票受付手段は、前記デザイン画像の投票入力の促しに対して当該デザイン画像の投票入力を前記特定の端末から前記ネットワークを介して受付けるものであって、
前記ランキング決定手段は、前記受付けられた投票結果に基づいて、前記登録された複数のデザイン画像の人気度を示すランキングを決定することを特徴とする広告用デザイン募集装置。
【請求項１４】
請求項１２または１３に記載の広告用デザイン募集装置において、
前記第１デザイン投票受付手段によりデザイン画像の投票入力が受付けられる毎に、これに対応するデザイン画像に対応付けて、予め設定されたポイント数を前記データベースに登録するポイント登録手段をさらに備え、
前記ランキング決定手段は、前記登録されたポイント数を前記デザイン画像毎に集計し、当該集計結果に基づいて、前記登録された複数のデザイン画像の人気度を示すランキングを決定することを特徴とする広告用デザイン募集装置。
【請求項１５】
請求項１２に記載の広告用デザイン募集装置において、
前記第１デザイン投票受付手段によりデザイン画像の投票入力が受付けられる毎に、これに対応するデザイン画像に対応付けて、予め設定されたポイント数を前記データベースに登録するポイント登録手段と、
前記第１デザイン投票受付手段により受付けられた前記デザイン画像の投票入力を行った端末が予め設定された特定の端末であるか否かを判断する端末判断手段と、をさらに備え、
前記ポイント登録手段は、前記第１デザイン投票受付手段により受付けられたデザイン画像の投票入力が前記特定の端末からの投票入力であった場合には、前記特定の端末以外からの投票入力のときよりも高いポイント数を、当該デザイン画像に対応付けて前記データベースに登録し、
前記ランキング決定手段は、前記登録されたポイント数を前記デザイン画像毎に集計し、当該集計結果に基づいて、前記登録された複数のデザイン画像の人気度を示すランキングを決定することを特徴とする広告用デザイン募集装置。
【請求項１６】
請求項４乃至１５の何れか一項に記載の広告用デザイン募集装置において、
前記ネットワークに接続された広告主の端末から提供された前記広告コンセプトを受付ける広告コンセプト受付手段をさらに備えることを特徴とする広告用デザイン募集装置。
【請求項１７】
請求項４乃至１６の何れか一項に記載の広告用デザイン募集装置において、
前記決定されたデザイン画像を、前記ネットワークに接続された前記広告用着衣の製造者の端末に対して通知するデザイン通知手段をさらに備えることを特徴とする広告用デザイン募集装置。
【請求項１８】
請求項４乃至１７の何れか一項に記載の広告用デザイン募集装置において、
前記決定されたデザイン画像に対してそれぞれ異なった色彩及び／又は模様が施された複数のデザイン画像を前記複数の端末に対して公開するとともに、当該デザイン画像の投票入力を促すデザイン色彩・模様公開手段と、
前記色彩及び／又は模様が施されたデザイン画像の投票入力の促しに対して当該デザイン画像の投票入力を前記複数の端末から前記ネットワークを介して受付けるデザイン色彩・模様投票受付手段と、
前記受付けられた投票結果に基づいて、前記決定されたデザイン画像の色彩及び／又は模様を決定するデザイン色彩・模様決定手段と、をさらに備えることを特徴とする広告用デザイン募集装置。
【請求項１９】
請求項４乃至１７の何れか一項に記載の広告用デザイン募集装置において、
前記決定されたデザイン画像を前記複数の端末に対して公開するとともに、当該デザイン画像に施すべき複数の色彩及び／又は模様を公開して選択を促し、前記端末からの色彩及び／又は模様の選択に応じて、当該選択された色彩及び／又は模様を前記決定されたデザイン画像に施して当該端末に公開し、当該デザイン画像の投票入力を促すデザイン色彩・模様公開手段と、
前記色彩及び／又は模様が施されたデザイン画像の投票入力の促しに対して当該デザイン画像の投票入力を前記複数の端末から前記ネットワークを介して受付けるデザイン色彩・模様投票受付手段と、
前記受付けられた投票結果に基づいて、前記決定されたデザイン画像の色彩及び／又は模様を決定するデザイン色彩・模様決定手段と、をさらに備えることを特徴とする広告用デザイン募集装置。
【請求項２０】
請求項１８または１９に記載の広告用デザイン募集装置において、
前記デザイン通知手段は、前記決定されたデザイン画像の色彩及び／又は模様を示す情報を、前記ネットワークに接続された前記広告用着衣の製造者の端末に対して通知することを特徴とする広告用デザイン募集装置。
【請求項２１】
請求項４乃至１７の何れか一項に記載の広告用デザイン募集装置において、
前記広告用着衣の表面に対してそれぞれ異なった位置及び／又は大きさにて前記決定されたデザイン画像が表示された複数の広告用着衣画像を前記複数の端末に対して公開するとともに、当該広告用着衣画像の投票入力を促すデザイン位置・大きさ公開手段と、
前記広告用着衣画像の投票入力の促しに対して当該広告用着衣画像の投票入力を前記複数の端末から前記ネットワークを介して受付けるデザイン位置・大きさ投票受付手段と、
前記受付けられた投票結果に基づいて、前記決定されたデザイン画像の前記広告用着衣における位置及び／又は大きさを決定するデザイン位置・大きさ決定手段と、をさらに備えることを特徴とする広告用デザイン募集装置。
【請求項２２】
請求項４乃至１７の何れか一項に記載の広告用デザイン募集装置において、
前記決定されたデザイン画像および、当該デザイン画像を表示すべき広告用着衣画像を前記複数の端末に対して公開するとともに、当該デザイン画像の当該広告用着衣における位置及び／又は大きさの指示を促し、前記端末からの指示に応じた位置及び／又は大きさで前記決定されたデザイン画像を前記広告用着衣画像上に表示して当該端末に公開し、当該広告用着衣画像の投票入力を促すデザイン位置・大きさ公開手段と、
前記広告用着衣画像の投票入力の促しに対して当該広告用着衣画像の投票入力を前記複数の端末から前記ネットワークを介して受付けるデザイン位置・大きさ投票受付手段と、
前記受付けられた投票結果に基づいて、前記決定されたデザイン画像の前記広告用着衣における位置及び／又は大きさを決定するデザイン位置・大きさ決定手段と、をさらに備えることを特徴とする広告用デザイン募集装置。
【請求項２３】
請求項２１または２２に記載の広告用デザイン募集装置において、
前記デザイン通知手段は、前記決定されたデザイン画像の前記広告用着衣における位置及び／又は大きさを示す情報を、前記ネットワークに接続された前記広告用着衣の製造者の端末に対して通知することを特徴とする広告用デザイン募集装置。
【請求項２４】
請求項４乃至１７の何れか一項に記載の広告用デザイン募集装置において、
前記決定されたデザイン画像を、前記ネットワーク上で、これに接続される複数の端末に対して公開するとともに、当該デザインの使用を募集するデザイン使用募集手段と、
前記複数の端末から前記ネットワークを介して前記デザイン画像の使用の希望があった場合に、前記ネットワークに接続された広告主の端末に当該デザイン画像の使用の希望があったことを示す情報を通知するデザイン使用希望通知手段と、をさらに備えることを特徴とする広告用デザイン募集装置。
【請求項２５】
請求項４乃至２４の何れか一項に記載の広告用デザイン募集装置において、前記複数の端末は、デザイナーの端末であることを特徴とする広告用デザイン募集装置。
【請求項２６】
広告主により提供される広告用着衣の表面に表示されるデザイン画像を募集する広告用デザイン募集方法であって、
前記広告主から提供された広告コンセプトを、前記ネットワーク上で、これに接続される複数の端末に対して公開するとともに、当該広告コンセプトに合うデザイン画像を募集するデザイン募集工程と、
前記デザイン画像の募集に対して前記複数の端末から前記ネットワークを介して提供されたデザイン画像を受付け、データベースに登録するデザイン登録工程と、
前記データベースに登録された複数のデザイン画像を、前記ネットワーク上で、前記複数の端末に対して公開するとともに、当該デザイン画像の投票入力を促すデザイン公開工程と、
前記デザイン画像の投票入力の促しに対して当該デザイン画像の投票入力を前記複数の端末から前記ネットワークを介して受付けるデザイン投票受付工程と、前記受付けられた投票結果に基づいて、前記登録された複数のデザイン画像のうち、前記広告用着衣の表面に表示されるべきデザイン画像を決定するデザイン決定工程と、を備えることを特徴とする広告用デザイン募集方法。
【請求項２７】
広告主により提供される広告用着衣の表面に表示されるデザイン画像を募集する広告用デザイン募集方法であって、
前記広告主から提供された広告コンセプトを、前記ネットワーク上で、これに接続される複数の端末に対して公開するとともに、当該広告コンセプトに合うデザイン画像を募集するデザイン募集工程と、
前記デザイン画像の募集に対して前記複数の端末から前記ネットワークを介して提供されたデザイン画像を受付け、データベースに登録するデザイン登録工程と、
前記データベースに登録された複数のデザイン画像を、前記ネットワーク上で、前記複数の端末に対して公開するとともに、当該デザイン画像の投票入力を促すデザイン公開工程と、
前記デザイン画像の投票入力の促しに対して当該デザイン画像の投票入力を前記複数の端末から前記ネットワークを介して受付ける第１デザイン投票受付工程と、
前記受付けられた投票結果に基づいて、前記登録された複数のデザイン画像のうちから所定数のデザイン画像に絞り込むデザイン絞込工程と、
前記絞り込まれた所定数のデザイン画像を、前記ネットワーク上で、前記複数の端末に対して公開するとともに、当該所定数のデザイン画像の投票入力を促す絞込デザイン公開工程と、
前記所定数のデザイン画像の投票入力の促しに対して当該デザイン画像の投票入力を前記複数の端末から前記ネットワークを介して受付ける第２デザイン投票受付工程と、
前記第２デザイン投票受付手段により受付けられた投票結果に基づいて、前記広告用着衣の表面に表示されるべきデザイン画像を決定するデザイン決定工程と、を備えることを特徴とする広告用デザイン募集方法。
【請求項２８】
広告主により提供される広告用着衣の表面に表示されるデザイン画像を募集する広告用デザイン募集方法であって、
前記広告主から提供された広告コンセプトを、前記ネットワーク上で、これに接続される複数の端末に対して公開するとともに、当該広告コンセプトに合うデザイン画像を募集するデザイン募集工程と、
前記デザイン画像の募集に対して前記複数の端末から前記ネットワークを介して提供されたデザイン画像を受付け、データベースに登録するデザイン登録工程と、
前記データベースに登録された複数のデザイン画像を、前記ネットワーク上で、前記複数の端末に対して公開するとともに、当該デザイン画像の投票入力を促すデザイン公開工程と、
前記デザイン画像の投票入力の促しに対して当該デザイン画像の投票入力を前記複数の端末から前記ネットワークを介して受付ける第１デザイン投票受付工程と、
前記受付けられた投票結果に基づいて、前記登録された複数のデザイン画像の人気度を示すランキングを決定するランキング決定工程と、
前記決定された人気度を示すランキングを前記ネットワーク上で、前記複数の端末に対して公開するとともに、当該ランキング中のデザイン画像の投票入力を促すランキング公開工程と、
前記ランキング中のデザイン画像の投票入力の促しに対して当該デザイン画像の投票入力を前記複数の端末から前記ネットワークを介して受付ける第２デザイン投票受付工程と、
前記第２デザイン投票受付手段により受付けられた投票結果に基づいて、前記広告用着衣の表面に表示されるべきデザイン画像を決定するデザイン決定工程と、を備えることを特徴とする広告用デザイン募集方法。
【請求項２９】
ネットワークに接続され、広告主により提供される広告用着衣の表面に表示されるデザイン画像を募集する広告用デザイン募集装置に含まれるコンピュータを、
前記広告主から提供された広告コンセプトを、前記ネットワーク上で、これに接続される複数の端末に対して公開するとともに、当該広告コンセプトに合うデザイン画像を募集するデザイン募集手段、
前記デザイン画像の募集に対して前記複数の端末から前記ネットワークを介して提供されたデザイン画像を受付け、データベースに登録するデザイン登録手段、
前記データベースに登録された複数のデザイン画像を、前記ネットワーク上で、前記複数の端末に対して公開するとともに、当該デザイン画像の投票入力を促すデザイン公開手段、
前記デザイン画像の投票入力の促しに対して当該デザイン画像の投票入力を前記複数の端末から前記ネットワークを介して受付けるデザイン投票受付手段、
前記受付けられた投票結果に基づいて、前記登録された複数のデザイン画像のうち、前記広告用着衣の表面に表示されるべきデザイン画像を決定するデザイン決定手段、として機能させることを特徴とする広告用デザイン募集処理プログラム。
【請求項３０】
請求項２９に記載の広告用デザイン募集処理プログラムにおいて、
前記デザイン公開手段は、前記データベースに登録された複数のデザイン画像を、前記ネットワーク上で、前記複数の端末のうち予め設定された特定の端末のみに対して公開するとともに、当該デザイン画像の投票入力を促し、
前記デザイン投票受付手段は、前記デザイン画像の投票入力の促しに対して当該デザイン画像の投票入力を前記特定の端末から前記ネットワークを介して受付けるものであって、
前記デザイン決定手段は、前記特定の端末から受付けられた投票結果に基づいて、前記登録された複数のデザイン画像のうち、前記広告用着衣の表面に表示されるべきデザイン画像を決定することを特徴とする広告用デザイン募集処理プログラム。
【請求項３１】
請求項２９または３０に記載の広告用デザイン募集処理プログラムにおいて、
前記コンピュータを、
前記デザイン画像の投票入力が受付けられる毎に、これに対応するデザイン画像に対応付けて、予め設定されたポイント数を前記データベースに登録するポイント登録手段として機能させ、
前記デザイン決定手段は、前記登録されたポイント数を前記デザイン画像毎に集計し、当該集計結果に基づいて、前記登録された複数のデザイン画像のうち、前記広告用着衣の表面に表示されるべきデザイン画像を決定することを特徴とする広告用デザイン募集処理プログラム。
【請求項３２】
請求項２９に記載の広告用デザイン募集処理プログラムにおいて、
前記コンピュータを
前記デザイン画像の投票入力が受付けられる毎に、これに対応するデザイン画像に対応付けて、予め設定されたポイント数を前記データベースに登録するポイント登録手段、
前記受付けられた前記デザイン画像の投票入力を行った端末が予め設定された特定の端末であるか否かを判断する端末判断手段、としてさらに機能させ、
前記ポイント登録手段は、前記受付けられたデザイン画像の投票入力が前記特定の端末からの投票入力であった場合には、前記特定の端末以外からの投票入力のときよりも高いポイント数を、当該デザイン画像に対応付けて前記データベースに登録し、
前記デザイン決定手段は、前記登録されたポイント数を前記デザイン画像毎に集計し、当該集計結果に基づいて、前記登録された複数のデザイン画像のうち、前記広告用着衣の表面に表示されるべきデザイン画像を決定することを特徴とする広告用デザイン募集処理プログラム。
【請求項３３】
ネットワークに接続され、広告主により提供される広告用着衣の表面に表示されるデザイン画像を募集する広告用デザイン募集装置に含まれるコンピュータを、
前記広告主から提供された広告コンセプトを、前記ネットワーク上で、これに接続される複数の端末に対して公開するとともに、当該広告コンセプトに合うデザイン画像を募集するデザイン募集手段、
前記デザイン画像の募集に対して前記複数の端末から前記ネットワークを介して提供されたデザイン画像を受付け、データベースに登録するデザイン登録手段、
前記データベースに登録された複数のデザイン画像を、前記ネットワーク上で、前記複数の端末に対して公開するとともに、当該デザイン画像の投票入力を促すデザイン公開手段、
前記デザイン画像の投票入力の促しに対して当該デザイン画像の投票入力を前記複数の端末から前記ネットワークを介して受付ける第１デザイン投票受付手段、
前記受付けられた投票結果に基づいて、前記登録された複数のデザイン画像のうちから所定数のデザイン画像に絞り込むデザイン絞込手段、
前記絞り込まれた所定数のデザイン画像を、前記ネットワーク上で、前記複数の端末に対して公開するとともに、当該所定数のデザイン画像の投票入力を促す絞込デザイン公開手段、
前記所定数のデザイン画像の投票入力の促しに対して当該デザイン画像の投票入力を前記複数の端末から前記ネットワークを介して受付ける第２デザイン投票受付手段、
前記第２デザイン投票受付手段により受付けられた投票結果に基づいて、前記広告用着衣の表面に表示されるべきデザイン画像を決定するデザイン決定手段、として機能させることを特徴とする広告用デザイン募集処理プログラム。
【請求項３４】
請求項３３に記載の広告用デザイン募集処理プログラムにおいて、
前記デザイン公開手段は、前記データベースに登録された複数のデザイン画像を、前記ネットワーク上で、前記複数の端末のうち予め設定された特定の端末のみに対して公開するとともに、当該デザイン画像の投票入力を促し、
前記第１デザイン投票受付手段は、前記デザイン画像の投票入力の促しに対して当該デザイン画像の投票入力を前記特定の端末から前記ネットワークを介して受付けるものであって、
前記デザイン絞込手段は、前記特定の端末から受付けられた投票結果に基づいて、前記登録された複数のデザイン画像のうちから所定数のデザイン画像に絞り込むことを特徴とする広告用デザイン募集処理プログラム。
【請求項３５】
請求項３３または３４に記載の広告用デザイン募集処理プログラムにおいて、
前記コンピュータを、
前記第１デザイン投票受付手段によりデザイン画像の投票入力が受付けられる毎に、これに対応するデザイン画像に対応付けて、予め設定されたポイント数を前記データベースに登録するポイント登録手段としてさらに機能させ、
前記デザイン絞込手段は、前記登録されたポイント数を前記デザイン画像毎に集計し、当該集計結果に基づいて、前記登録された複数のデザイン画像のうちから所定数のデザイン画像に絞り込むことを特徴とする広告用デザイン募集処理プログラム。
【請求項３６】
請求項３３に記載の広告用デザイン募集募集処理プログラムにおいて、
前記コンピュータを、
前記第１デザイン投票受付手段によりデザイン画像の投票入力が受付けられる毎に、これに対応するデザイン画像に対応付けて、予め設定されたポイント数を前記データベースに登録するポイント登録手段、
前記第１デザイン投票受付手段により受付けられた前記デザイン画像の投票入力を行った端末が予め設定された特定の端末であるか否かを判断する端末判断手段、としてさらに機能させ、
前記ポイント登録手段は、前記第１デザイン投票受付手段により受付けられたデザイン画像の投票入力が前記特定の端末からの投票入力であった場合には、前記特定の端末以外からの投票入力のときよりも高いポイント数を、当該デザイン画像に対応付けて前記データベースに登録し、
前記デザイン絞込手段は、前記登録されたポイント数を前記デザイン画像毎に集計し、当該集計結果に基づいて、前記登録された複数のデザイン画像のうちから所定数のデザイン画像に絞り込むことを特徴とする広告用デザイン募集処理プログラム。
【請求項３７】
ネットワークに接続され、広告主により提供される広告用着衣の表面に表示されるデザイン画像を募集する広告用デザイン募集装置に含まれるコンピュータを、
前記広告主から提供された広告コンセプトを、前記ネットワーク上で、これに接続される複数の端末に対して公開するとともに、当該広告コンセプトに合うデザイン画像を募集するデザイン募集手段、
前記デザイン画像の募集に対して前記複数の端末から前記ネットワークを介して提供されたデザイン画像を受付け、データベースに登録するデザイン登録手段、
前記データベースに登録された複数のデザイン画像を、前記ネットワーク上で、前記複数の端末に対して公開するとともに、当該デザイン画像の投票入力を促すデザイン公開手段、
前記デザイン画像の投票入力の促しに対して当該デザイン画像の投票入力を前記複数の端末から前記ネットワークを介して受付ける第１デザイン投票受付手段、
前記受付けられた投票結果に基づいて、前記登録された複数のデザイン画像の人気度を示すランキングを決定するランキング決定手段、
前記決定された人気度を示すランキングを前記ネットワーク上で、前記複数の端末に対して公開するとともに、当該ランキング中のデザイン画像の投票入力を促すランキング公開手段、
前記ランキング中のデザイン画像の投票入力の促しに対して当該デザイン画像の投票入力を前記複数の端末から前記ネットワークを介して受付ける第２デザイン投票受付手段、
前記第２デザイン投票受付手段により受付けられた投票結果に基づいて、前記広告用着衣の表面に表示されるべきデザイン画像を決定するデザイン決定手段、として機能させることを特徴とする広告用デザイン募集処理プログラム。
【請求項３８】
請求項３７に記載の広告用デザイン募集処理プログラムにおいて、
前記デザイン公開手段は、前記データベースに登録された複数のデザイン画像を、前記ネットワーク上で、前記複数の端末のうち予め設定された特定の端末のみに対して公開するとともに、当該デザイン画像の投票入力を促し、
前記第１デザイン投票受付手段は、前記デザイン画像の投票入力の促しに対して当該デザイン画像の投票入力を前記特定の端末から前記ネットワークを介して受付けるものであって、
前記ランキング決定手段は、前記受付けられた投票結果に基づいて、前記登録された複数のデザイン画像の人気度を示すランキングを決定することを特徴とする広告用デザイン募集処理プログラム。
【請求項３９】
請求項３７または３８に記載の広告用デザイン募集処理プログラムにおいて、
前記コンピュータを、
前記第１デザイン投票受付手段によりデザイン画像の投票入力が受付けられる毎に、これに対応するデザイン画像に対応付けて、予め設定されたポイント数を前記データベースに登録するポイント登録手段としてさらに機能させ、
前記ランキング決定手段は、前記登録されたポイント数を前記デザイン画像毎に集計し、当該集計結果に基づいて、前記登録された複数のデザイン画像の人気度を示すランキングを決定することを特徴とする広告用デザイン募集処理プログラム。
【請求項４０】
請求項３７に記載の広告用デザイン募集処理プログラムにおいて、
前記コンピュータを、
前記第１デザイン投票受付手段によりデザイン画像の投票入力が受付けられる毎に、これに対応するデザイン画像に対応付けて、予め設定されたポイント数を前記データベースに登録するポイント登録手段、
前記第１デザイン投票受付手段により受付けられた前記デザイン画像の投票入力を行った端末が予め設定された特定の端末であるか否かを判断する端末判断手段、としてさらに機能させ、
前記ポイント登録手段は、前記第１デザイン投票受付手段により受付けられたデザイン画像の投票入力が前記特定の端末からの投票入力であった場合には、前記特定の端末以外からの投票入力のときよりも高いポイント数を、当該デザイン画像に対応付けて前記データベースに登録し、
前記ランキング決定手段は、前記登録されたポイント数を前記デザイン画像毎に集計し、当該集計結果に基づいて、前記登録された複数のデザイン画像の人気度を示すランキングを決定することを特徴とする広告用デザイン募集処理プログラム。
【請求項４１】
請求項２９乃至４０の何れか一項に記載の広告用デザイン募集処理プログラムにおいて、
前記コンピュータを、
前記ネットワークに接続された広告主の端末から提供された前記広告コンセプトを受付ける広告コンセプト受付手段としてさらに機能させることを特徴とする広告用デザイン募集処理プログラム。
【請求項４２】
請求項２９乃至４１の何れか一項に記載の広告用デザイン募集処理プログラムにおいて、
前記コンピュータを、
前記決定されたデザイン画像を、前記ネットワークに接続された前記広告用着衣の製造者の端末に対して通知するデザイン通知手段としてさらに機能させることを特徴とする広告用デザイン募集処理プログラム。
【請求項４３】
請求項２９乃至４２の何れか一項に記載の広告用デザイン募集処理プログラムにおいて、
前記コンピュータを、
前記決定されたデザイン画像に対してそれぞれ異なった色彩及び／又は模様が施された複数のデザイン画像を前記複数の端末に対して公開するとともに、当該デザイン画像の投票入力を促すデザイン色彩・模様公開手段、
前記色彩及び／又は模様が施されたデザイン画像の投票入力の促しに対して当該デザイン画像の投票入力を前記複数の端末から前記ネットワークを介して受付けるデザイン色彩・模様投票受付手段、
前記受付けられた投票結果に基づいて、前記決定されたデザイン画像の色彩及び／又は模様を決定するデザイン色彩・模様決定手段、としてさらに機能させることを特徴とする広告用デザイン募集処理プログラム。
【請求項４４】
請求項２９乃至４２の何れか一項に記載の広告用デザイン募集処理プログラムにおいて、
前記コンピュータを、
前記決定されたデザイン画像を前記複数の端末に対して公開するとともに、当該デザイン画像に施すべき複数の色彩及び／又は模様を公開して選択を促し、前記端末からの色彩及び／又は模様の選択に応じて、当該選択された色彩及び／又は模様を前記決定されたデザイン画像に施して当該端末に公開し、当該デザイン画像の投票入力を促すデザイン色彩・模様公開手段、
前記色彩及び／又は模様が施されたデザイン画像の投票入力の促しに対して当該デザイン画像の投票入力を前記複数の端末から前記ネットワークを介して受付けるデザイン色彩・模様投票受付手段、
前記受付けられた投票結果に基づいて、前記決定されたデザイン画像の色彩及び／又は模様を決定するデザイン色彩・模様決定手段、としてさらに機能させることを特徴とする広告用デザイン募集処理プログラム。
【請求項４５】
請求項４３または４４に記載の広告用デザイン募集処理プログラムにおいて、
前記デザイン通知手段は、前記決定されたデザイン画像の色彩及び／又は模様を示す情報を、前記ネットワークに接続された前記広告用着衣の製造者の端末に対して通知することを特徴とする広告用デザイン募集処理プログラム。
【請求項４６】
請求項２９乃至４２の何れか一項に記載の広告用デザイン募集処理プログラムにおいて、
前記コンピュータを、
前記広告用着衣の表面に対してそれぞれ異なった位置及び／又は大きさにて前記決定されたデザイン画像が表示された複数の広告用着衣画像を前記複数の端末に対して公開するとともに、当該広告用着衣画像の投票入力を促すデザイン位置・大きさ公開手段、
前記広告用着衣画像の投票入力の促しに対して当該広告用着衣画像の投票入力を前記複数の端末から前記ネットワークを介して受付けるデザイン位置・大きさ投票受付手段、
前記受付けられた投票結果に基づいて、前記決定されたデザイン画像の前記広告用着衣における位置及び／又は大きさを決定するデザイン位置・大きさ決定手段、としてさらに機能させることを特徴とする広告用デザイン募集処理プログラム。
【請求項４７】
請求項２９乃至４２の何れか一項に記載の広告用デザイン募集処理プログラムにおいて、
前記コンピュータを、
前記決定されたデザイン画像および、当該デザイン画像を表示すべき広告用着衣画像を前記複数の端末に対して公開するとともに、当該デザイン画像の当該広告用着衣における位置及び／又は大きさの指示を促し、前記端末からの指示に応じた位置及び／又は大きさで前記決定されたデザイン画像を前記広告用着衣画像上に表示して当該端末に公開し、当該広告用着衣画像の投票入力を促すデザイン位置・大きさ公開手段、
前記広告用着衣画像の投票入力の促しに対して当該広告用着衣画像の投票入力を前記複数の端末から前記ネットワークを介して受付けるデザイン位置・大きさ投票受付手段、
前記受付けられた投票結果に基づいて、前記決定されたデザイン画像の前記広告用着衣における位置及び／又は大きさを決定するデザイン位置・大きさ決定手段、としてさらに機能させることを特徴とする広告用デザイン募集処理プログラム。
【請求項４８】
請求項４６または４７に記載の広告用デザイン募集処理プログラムにおいて、
前記デザイン通知手段は、前記決定されたデザイン画像の前記広告用着衣における位置及び／又は大きさ示す情報を、前記ネットワークに接続された前記広告用着衣の製造者の端末に対して通知することを特徴とする広告用デザイン募集処理プログラム。
【発明の詳細な説明】
【０００１】
【発明の属する技術分野】
広告主により提供される広告用着衣の表面に表示されるデザイン画像を募集する広告用デザイン募集装置および方法の技術分野に関する。
【０００２】
【従来の技術】
従来から、大手企業、中小企業、さらには、地域の商店街等は、自らの商品、サービスおよび事業内容等を新聞、雑誌およびテレビ等の媒体を利用して宣伝広告を行っている。最近では、インターネットを通じて、宣伝広告が行われることが一般化している。
【０００３】
このような大手企業、中小企業および地域の商店街等の広告主が広告を行う場合、通常、当該広告主が広告代理店に自己の広告コンセプトを伝えることによって、広告代理店が広告内容を決めている。この際、広告代理店は、広告効果を高めるため、その広告コンセプトに合うデザイン画像を創作する場合もある。
【０００４】
一方、Ｔシャツ、トレーナー等の着衣の製造販売業者は、当該着衣に表示されるイメージキャラクターを含むデザイン画像を思考錯誤の上創作し、当該デザイン画像が表示された着衣を製造販売している。
【０００５】
【発明が解決しようとする課題】
しかしながら、広告代理店により創作されたデザイン画像は、真に広告主が要望するものでなかったり、広告主が広告を伝えたいターゲット層にマッチしなかったりという一方的な広告デザイン画像になってしまう場合があった。
【０００６】
また、着衣製造販売業者も、著名ブランド有する者であれば良いが、そうでない場合には、一般の人に、即座に受入れられるデザイン画像を創作することは困難である。
【０００７】
本発明は、上記課題に鑑みてなされたものであり、新たな広告媒体である広告用着衣の表面に表示されるデザイン画像であって、より洗練され、最も広告主の広告コンセプトに合うデザイン画像を、広告主に提供することが可能な広告用デザイン募集装置、広告用デザイン募集方法、広告用デザイン募集処理プログラムを提供することを目的する。
【０００８】
【課題を解決するための手段】
上記の課題を解決するため、請求項１に記載の発明は、複数の端末と、広告主により提供される広告用着衣の表面に表示されるデザイン画像を募集する広告用デザイン募集装置と、前記複数の端末と前記広告デザイン募集装置とを接続するためのネットワークと、を備えた広告用デザイン募集システムであって、前記広告デザイン募集装置は、前記広告主から提供された広告コンセプトを、前記ネットワーク上で前記複数の端末に対して公開するとともに、当該広告コンセプトに合うデザイン画像を募集するデザイン募集手段と、前記デザイン画像の募集に対して前記複数の端末から前記ネットワークを介して提供されたデザイン画像を受付け、データベースに登録するデザイン登録手段と、前記データベースに登録された複数のデザイン画像を、前記ネットワーク上で、前記複数の端末に対して公開するとともに、当該デザイン画像の投票入力を促すデザイン公開手段と、前記デザイン画像の投票入力の促しに対して当該デザイン画像の投票入力を前記複数の端末から前記ネットワークを介して受付けるデザイン投票受付手段と、前記受付けられた投票結果に基づいて、前記登録された複数のデザイン画像のうち、前記広告用着衣の表面に表示されるべきデザイン画像を決定するデザイン決定手段と、を備えるように構成する。
【０００９】
請求項１に記載の発明によれば、広告主により提供される広告用着衣の表面に表示されるデザイン画像であって、広告主の広告コンセプトに合うデザイン画像をネットワーク上で募集し、募集されたデザイン画像を公開して投票を行うので、より洗練され、最も広告主の広告コンセプトに合うデザイン画像を決定することができる。
【００１０】
請求項２に記載の発明は、複数の端末と、広告主により提供される広告用着衣の表面に表示されるデザイン画像を募集する広告用デザイン募集装置と、前記複数の端末と前記広告デザイン募集装置とを接続するためのネットワークと、を備えた広告用デザイン募集システムであって、前記広告デザイン募集装置は、前記広告主から提供された広告コンセプトを、前記ネットワーク上で前記複数の端末に対して公開するとともに、当該広告コンセプトに合うデザイン画像を募集するデザイン募集手段と、前記デザイン画像の募集に対して前記複数の端末から前記ネットワークを介して提供されたデザイン画像を受付け、データベースに登録するデザイン登録手段と、前記データベースに登録された複数のデザイン画像を、前記ネットワーク上で、前記複数の端末に対して公開するとともに、当該デザイン画像の投票入力を促すデザイン公開手段と、前記デザイン画像の投票入力の促しに対して当該デザイン画像の投票入力を前記複数の端末から前記ネットワークを介して受付ける第１デザイン投票受付手段と、前記受付けられた投票結果に基づいて、前記登録された複数のデザイン画像のうちから所定数のデザイン画像に絞り込むデザイン絞込手段と、前記絞り込まれた所定数のデザイン画像を、前記ネットワーク上で、前記複数の端末に対して公開するとともに、当該所定数のデザイン画像の投票入力を促す絞込デザイン公開手段と、前記所定数のデザイン画像の投票入力の促しに対して当該デザイン画像の投票入力を前記複数の端末から前記ネットワークを介して受付ける第２デザイン投票受付手段と、前記第２デザイン投票受付手段により受付けられた投票結果に基づいて、前記広告用着衣の表面に表示されるべきデザイン画像を決定するデザイン決定手段と、を備えるように構成する。
【００１１】
請求項２に記載の発明によれば、広告主により提供される広告用着衣の表面に表示されるデザイン画像であって、広告主の広告コンセプトに合うデザイン画像をネットワーク上で募集し、募集されたデザイン画像を公開して投票を行い所定数に絞り込んだ後、再度公開して投票を行うので、より洗練され、最も広告主の広告コンセプトに合うデザイン画像を決定することができるとともに、より一般の消費者等に受け入れられるデザイン画像を決定することができる。
【００１２】
請求項３に記載の発明は、複数の端末と、広告主により提供される広告用着衣の表面に表示されるデザイン画像を募集する広告用デザイン募集装置と、前記複数の端末と前記広告デザイン募集装置とを接続するためのネットワークと、を備えた広告用デザイン募集システムであって、前記広告デザイン募集装置は、前記広告主から提供された広告コンセプトを、前記ネットワーク上で前記複数の端末に対して公開するとともに、当該広告コンセプトに合うデザイン画像を募集するデザイン募集手段と、前記デザイン画像の募集に対して前記複数の端末から前記ネットワークを介して提供されたデザイン画像を受付け、データベースに登録するデザイン登録手段と、前記データベースに登録された複数のデザイン画像を、前記ネットワーク上で、前記複数の端末に対して公開するとともに、当該デザイン画像の投票入力を促すデザイン公開手段と、前記デザイン画像の投票入力の促しに対して当該デザイン画像の投票入力を前記複数の端末から前記ネットワークを介して受付ける第１デザイン投票受付手段と、前記受付けられた投票結果に基づいて、前記登録された複数のデザイン画像の人気度を示すランキングを決定するランキング決定手段と、前記決定された人気度を示すランキングを前記ネットワーク上で、前記複数の端末に対して公開するとともに、当該ランキング中のデザイン画像の投票入力を促すランキング公開手段と、前記ランキング中のデザイン画像の投票入力の促しに対して当該デザイン画像の投票入力を前記複数の端末から前記ネットワークを介して受付ける第２デザイン投票受付手段と、前記第２デザイン投票受付手段により受付けられた投票結果に基づいて、前記広告用着衣の表面に表示されるべきデザイン画像を決定するデザイン決定手段と、を備えるように構成する。
【００１３】
請求項３に記載の発明によれば、広告主により提供される広告用着衣の表面に表示されるデザイン画像であって、広告主の広告コンセプトに合うデザイン画像をネットワーク上で募集し、募集されたデザイン画像を公開して投票を行い、その結果に基づき決定されたデザイン画像の人気度を示すランキングを公開して再度投票を行うので、より洗練され、最も広告主の広告コンセプトに合うデザイン画像を決定することができるとともに、より一般の消費者等に受け入れられるデザイン画像を決定することができる。
【００１４】
請求項４に記載の発明は、ネットワークに接続され、広告主により提供される広告用着衣の表面に表示されるデザイン画像を募集する広告用デザイン募集装置であって、前記広告主から提供された広告コンセプトを、前記ネットワーク上で、これに接続される複数の端末に対して公開するとともに、当該広告コンセプトに合うデザイン画像を募集するデザイン募集手段と、前記デザイン画像の募集に対して前記複数の端末から前記ネットワークを介して提供されたデザイン画像を受付け、データベースに登録するデザイン登録手段と、前記データベースに登録された複数のデザイン画像を、前記ネットワーク上で、前記複数の端末に対して公開するとともに、当該デザイン画像の投票入力を促すデザイン公開手段と、前記デザイン画像の投票入力の促しに対して当該デザイン画像の投票入力を前記複数の端末から前記ネットワークを介して受付けるデザイン投票受付手段と、前記受付けられた投票結果に基づいて、前記登録された複数のデザイン画像のうち、前記広告用着衣の表面に表示されるべきデザイン画像を決定するデザイン決定手段と、を備えるように構成する。
【００１５】
請求項４に記載の発明によれば、広告主により提供される広告用着衣の表面に表示されるデザイン画像であって、広告主の広告コンセプトに合うデザイン画像をネットワーク上で募集し、募集されたデザイン画像を公開して投票を行うので、より洗練され、最も広告主の広告コンセプトに合うデザイン画像を決定することができる。
【００１６】
請求項５に記載の発明は、請求項４に記載の広告用デザイン募集装置において、前記デザイン公開手段は、前記データベースに登録された複数のデザイン画像を、前記ネットワーク上で、前記複数の端末のうち予め設定された特定の端末のみに対して公開するとともに、当該デザイン画像の投票入力を促し、前記デザイン投票受付手段は、前記デザイン画像の投票入力の促しに対して当該デザイン画像の投票入力を前記特定の端末から前記ネットワークを介して受付けるものであって、前記デザイン決定手段は、前記特定の端末から受付けられた投票結果に基づいて、前記登録された複数のデザイン画像のうち、前記広告用着衣の表面に表示されるべきデザイン画像を決定するように構成する。
【００１７】
請求項５に記載の発明によれば、募集されたデザイン画像の投票が、特定の者、例えば、カリスマ性のあるカリスマデザイナーの端末にのみに公開され、投票が行われるので、一般の消費者等に気に入られるデザイン画像としてより洗練することができる。
【００１８】
請求項６に記載の発明は、請求項４または５に記載の広告用デザイン募集装置において、前記デザイン画像の投票入力が受付けられる毎に、これに対応するデザイン画像に対応付けて、予め設定されたポイント数を前記データベースに登録するポイント登録手段をさらに備え、前記デザイン決定手段は、前記登録されたポイント数を前記デザイン画像毎に集計し、当該集計結果に基づいて、前記登録された複数のデザイン画像のうち、前記広告用着衣の表面に表示されるべきデザイン画像を決定するように構成する。
【００１９】
請求項６に記載の発明によれば、集計結果、例えば、累積ポイント数が最も大きいデザイン画像を決定することができる。
【００２０】
請求項７に記載の発明は、請求項４に記載の広告用デザイン募集装置において、前記デザイン画像の投票入力が受付けられる毎に、これに対応するデザイン画像に対応付けて、予め設定されたポイント数を前記データベースに登録するポイント登録手段と、前記受付けられた前記デザイン画像の投票入力を行った端末が予め設定された特定の端末であるか否かを判断する端末判断手段と、をさらに備え、前記ポイント登録手段は、前記受付けられたデザイン画像の投票入力が前記特定の端末からの投票入力であった場合には、前記特定の端末以外からの投票入力のときよりも高いポイント数を、当該デザイン画像に対応付けて前記データベースに登録し、前記デザイン決定手段は、前記登録されたポイント数を前記デザイン画像毎に集計し、当該集計結果に基づいて、前記登録された複数のデザイン画像のうち、前記広告用着衣の表面に表示されるべきデザイン画像を決定するように構成する。
【００２１】
請求項７に記載の発明によれば、特定の者、例えば、カリスマ性のあるカリスマデザイナーの端末からの投票の重みつけを大きくするようにしたので、より一般の消費者等に気に入られるデザイン画像を決定することができる。
【００２２】
請求項８に記載の発明は、ネットワークに接続され、広告主により提供される広告用着衣の表面に表示されるデザイン画像を募集する広告用デザイン募集装置であって、前記広告主から提供された広告コンセプトを、前記ネットワーク上で、これに接続される複数の端末に対して公開するとともに、当該広告コンセプトに合うデザイン画像を募集するデザイン募集手段と、前記デザイン画像の募集に対して前記複数の端末から前記ネットワークを介して提供されたデザイン画像を受付け、データベースに登録するデザイン登録手段と、前記データベースに登録された複数のデザイン画像を、前記ネットワーク上で、前記複数の端末に対して公開するとともに、当該デザイン画像の投票入力を促すデザイン公開手段と、前記デザイン画像の投票入力の促しに対して当該デザイン画像の投票入力を前記複数の端末から前記ネットワークを介して受付ける第１デザイン投票受付手段と、前記受付けられた投票結果に基づいて、前記登録された複数のデザイン画像のうちから所定数のデザイン画像に絞り込むデザイン絞込手段と、前記絞り込まれた所定数のデザイン画像を、前記ネットワーク上で、前記複数の端末に対して公開するとともに、当該所定数のデザイン画像の投票入力を促す絞込デザイン公開手段と、前記所定数のデザイン画像の投票入力の促しに対して当該デザイン画像の投票入力を前記複数の端末から前記ネットワークを介して受付ける第２デザイン投票受付手段と、前記第２デザイン投票受付手段により受付けられた投票結果に基づいて、前記広告用着衣の表面に表示されるべきデザイン画像を決定するデザイン決定手段と、を備えるように構成する。
【００２３】
請求項８に記載の発明によれば、広告主により提供される広告用着衣の表面に表示されるデザイン画像であって、広告主の広告コンセプトに合うデザイン画像をネットワーク上で募集し、募集されたデザイン画像を公開して投票を行い所定数に絞り込んだ後、再度公開して投票を行うので、より洗練され、最も広告主の広告コンセプトに合うデザイン画像を決定することができるとともに、より一般の消費者等に受け入れられるデザイン画像を決定することができる。
【００２４】
請求項９に記載の発明は、請求項８に記載の広告用デザイン募集装置において、前記デザイン公開手段は、前記データベースに登録された複数のデザイン画像を、前記ネットワーク上で、前記複数の端末のうち予め設定された特定の端末のみに対して公開するとともに、当該デザイン画像の投票入力を促し、前記第１デザイン投票受付手段は、前記デザイン画像の投票入力の促しに対して当該デザイン画像の投票入力を前記特定の端末から前記ネットワークを介して受付けるものであって、前記デザイン絞込手段は、前記特定の端末から受付けられた投票結果に基づいて、前記登録された複数のデザイン画像のうちから所定数のデザイン画像に絞り込むように構成する。
【００２５】
請求項９に記載の発明によれば、募集されたデザイン画像の絞り込みが、特定の者、例えば、カリスマ性のあるカリスマデザイナーの端末のみからの投票によって行われるので、一般の消費者等に気に入られるデザイン画像としてより洗練することができる。
【００２６】
請求項１０に記載の発明は、請求項８または９に記載の広告用デザイン募集装置において、前記第１デザイン投票受付手段によりデザイン画像の投票入力が受付けられる毎に、これに対応するデザイン画像に対応付けて、予め設定されたポイント数を前記データベースに登録するポイント登録手段をさらに備え、前記デザイン絞込手段は、前記登録されたポイント数を前記デザイン画像毎に集計し、当該集計結果に基づいて、前記登録された複数のデザイン画像のうちから所定数のデザイン画像に絞り込むように構成する。
【００２７】
請求項１０に記載の発明によれば、集計結果、例えば、累積ポイント数が大きい所定数のデザイン画像に絞り込むことができる。
【００２８】
請求項１１に記載の発明は、請求項８に記載の広告用デザイン募集装置において、前記第１デザイン投票受付手段によりデザイン画像の投票入力が受付けられる毎に、これに対応するデザイン画像に対応付けて、予め設定されたポイント数を前記データベースに登録するポイント登録手段と、前記第１デザイン投票受付手段により受付けられた前記デザイン画像の投票入力を行った端末が予め設定された特定の端末であるか否かを判断する端末判断手段と、をさらに備え、前記ポイント登録手段は、前記第１デザイン投票受付手段により受付けられたデザイン画像の投票入力が前記特定の端末からの投票入力であった場合には、前記特定の端末以外からの投票入力のときよりも高いポイント数を、当該デザイン画像に対応付けて前記データベースに登録し、前記デザイン絞込手段は、前記登録されたポイント数を前記デザイン画像毎に集計し、当該集計結果に基づいて、前記登録された複数のデザイン画像のうちから所定数のデザイン画像に絞り込むように構成する。
【００２９】
請求項１１に記載の発明によれば、特定の者、例えば、カリスマ性のあるカリスマデザイナーの端末からの投票の重みつけを大きくし、デザイン画像を絞り込むようにしたので、より一般の消費者等に気に入られるデザイン画像を決定することができる。
【００３０】
請求項１２に記載の発明は、ネットワークに接続され、広告主により提供される広告用着衣の表面に表示されるデザイン画像を募集する広告用デザイン募集装置であって、前記広告主から提供された広告コンセプトを、前記ネットワーク上で、これに接続される複数の端末に対して公開するとともに、当該広告コンセプトに合うデザイン画像を募集するデザイン募集手段と、前記デザイン画像の募集に対して前記複数の端末から前記ネットワークを介して提供されたデザイン画像を受付け、データベースに登録するデザイン登録手段と、前記データベースに登録された複数のデザイン画像を、前記ネットワーク上で、前記複数の端末に対して公開するとともに、当該デザイン画像の投票入力を促すデザイン公開手段と、前記デザイン画像の投票入力の促しに対して当該デザイン画像の投票入力を前記複数の端末から前記ネットワークを介して受付ける第１デザイン投票受付手段と、前記受付けられた投票結果に基づいて、前記登録された複数のデザイン画像の人気度を示すランキングを決定するランキング決定手段と、前記決定された人気度を示すランキングを前記ネットワーク上で、前記複数の端末に対して公開するとともに、当該ランキング中のデザイン画像の投票入力を促すランキング公開手段と、前記ランキング中のデザイン画像の投票入力の促しに対して当該デザイン画像の投票入力を前記複数の端末から前記ネットワークを介して受付ける第２デザイン投票受付手段と、前記第２デザイン投票受付手段により受付けられた投票結果に基づいて、前記広告用着衣の表面に表示されるべきデザイン画像を決定するデザイン決定手段と、を備えるように構成する。
【００３１】
請求項１２に記載の発明によれば、広告主により提供される広告用着衣の表面に表示されるデザイン画像であって、広告主の広告コンセプトに合うデザイン画像をネットワーク上で募集し、募集されたデザイン画像を公開して投票を行い、その結果に基づき決定されたデザイン画像の人気度を示すランキングを公開して再度投票を行うので、より洗練され、最も広告主の広告コンセプトに合うデザイン画像を決定することができるとともに、より一般の消費者等に受け入れられるデザイン画像を決定することができる。
【００３２】
請求項１３に記載の発明は、請求項１２に記載の広告用デザイン募集装置において、前記デザイン公開手段は、前記データベースに登録された複数のデザイン画像を、前記ネットワーク上で、前記複数の端末のうち予め設定された特定の端末のみに対して公開するとともに、当該デザイン画像の投票入力を促し、前記第１デザイン投票受付手段は、前記デザイン画像の投票入力の促しに対して当該デザイン画像の投票入力を前記特定の端末から前記ネットワークを介して受付けるものであって、前記ランキング決定手段は、前記受付けられた投票結果に基づいて、前記登録された複数のデザイン画像の人気度を示すランキングを決定するように構成する。
【００３３】
請求項１３に記載の発明によれば、募集されたデザイン画像の人気度を示すランキングの決定が、特定の者、例えば、カリスマ性のあるカリスマデザイナーの端末のみからの投票によって行われるので、一般の消費者等に気に入られるデザイン画像としてより洗練することができる。
【００３４】
請求項１４に記載の発明は、請求項１２または１３に記載の広告用デザイン募集装置において、前記第１デザイン投票受付手段によりデザイン画像の投票入力が受付けられる毎に、これに対応するデザイン画像に対応付けて、予め設定されたポイント数を前記データベースに登録するポイント登録手段をさらに備え、前記ランキング決定手段は、前記登録されたポイント数を前記デザイン画像毎に集計し、当該集計結果に基づいて、前記登録された複数のデザイン画像の人気度を示すランキングを決定するように構成する。
【００３５】
請求項１４に記載の発明によれば、集計結果、例えば、累積ポイント数が大きい順になるようにデザイン画像の人気度を示すランキングを決定することができる。
【００３６】
請求項１５に記載の発明は、請求項１２に記載の広告用デザイン募集装置において、前記第１デザイン投票受付手段によりデザイン画像の投票入力が受付けられる毎に、これに対応するデザイン画像に対応付けて、予め設定されたポイント数を前記データベースに登録するポイント登録手段と、前記第１デザイン投票受付手段により受付けられた前記デザイン画像の投票入力を行った端末が予め設定された特定の端末であるか否かを判断する端末判断手段と、をさらに備え、前記ポイント登録手段は、前記第１デザイン投票受付手段により受付けられたデザイン画像の投票入力が前記特定の端末からの投票入力であった場合には、前記特定の端末以外からの投票入力のときよりも高いポイント数を、当該デザイン画像に対応付けて前記データベースに登録し、前記ランキング決定手段は、前記登録されたポイント数を前記デザイン画像毎に集計し、当該集計結果に基づいて、前記登録された複数のデザイン画像の人気度を示すランキングを決定するように構成する。
【００３７】
請求項１５に記載の発明によれば、特定の者、例えば、カリスマ性のあるカリスマデザイナーの端末からの投票の重みつけを大きくし、デザイン画像の人気度を示すランキングを決定するようにしたので、より一般の消費者等に気に入られるデザイン画像を決定することができる。
【００３８】
請求項１６に記載の発明は、請求項４乃至１５の何れか一項に記載の広告用デザイン募集装置において、前記ネットワークに接続された広告主の端末から提供された前記広告コンセプトを受付ける広告コンセプト受付手段をさらに備えるように構成する。
【００３９】
請求項１６に記載の発明によれば、広告主は、自己の端末から、簡単に、広告コンセプトを提供することができる。
【００４０】
請求項１７に記載の発明は、請求項４乃至１６の何れか一項に記載の広告用デザイン募集装置において、前記決定されたデザイン画像を、前記ネットワークに接続された前記広告用着衣の製造者の端末に対して通知するデザイン通知手段をさらに備えるように構成する。
【００４１】
請求項１７に記載の発明によれば、決定されたデザイン画像を、迅速に、広告主に通知することができる。
【００４２】
請求項１８に記載の発明は、請求項４乃至１７の何れか一項に記載の広告用デザイン募集装置において、前記決定されたデザイン画像に対してそれぞれ異なった色彩及び／又は模様が施された複数のデザイン画像を前記複数の端末に対して公開するとともに、当該デザイン画像の投票入力を促すデザイン色彩・模様公開手段と、前記色彩及び／又は模様が施されたデザイン画像の投票入力の促しに対して当該デザイン画像の投票入力を前記複数の端末から前記ネットワークを介して受付けるデザイン色彩・模様投票受付手段と、前記受付けられた投票結果に基づいて、前記決定されたデザイン画像の色彩及び／又は模様を決定するデザイン色彩・模様決定手段と、をさらに備えるように構成する。
【００４３】
請求項１８に記載の発明によれば、決定されたデザイン画像の色彩及び／又は模様をも、投票によって決定するようにしたので、より一層、広告コンセプトに合うデザイン画像を広告主に提供することができる。
【００４４】
請求項１９に記載の発明は、請求項４乃至１７の何れか一項に記載の広告用デザイン募集装置において、前記決定されたデザイン画像を前記複数の端末に対して公開するとともに、当該デザイン画像に施すべき複数の色彩及び／又は模様を公開して選択を促し、前記端末からの色彩及び／又は模様の選択に応じて、当該選択された色彩及び／又は模様を前記決定されたデザイン画像に施して当該端末に公開し、当該デザイン画像の投票入力を促すデザイン色彩・模様公開手段と、前記色彩及び／又は模様が施されたデザイン画像の投票入力の促しに対して当該デザイン画像の投票入力を前記複数の端末から前記ネットワークを介して受付けるデザイン色彩・模様投票受付手段と、前記受付けられた投票結果に基づいて、前記決定されたデザイン画像の色彩及び／又は模様を決定するデザイン色彩・模様決定手段と、をさらに備えるように構成する。
【００４５】
請求項１９に記載の発明によれば、決定されたデザイン画像の色彩及び／又は模様をも、投票によって決定するようにしたので、より一層、広告コンセプトに合うデザイン画像を広告主に提供することができる。
【００４６】
請求項２０に記載の発明は、請求項１８または１９に記載の広告用デザイン募集装置において、前記デザイン通知手段は、前記決定されたデザイン画像の色彩及び／又は模様を示す情報を、前記ネットワークに接続された前記広告用着衣の製造者の端末に対して通知するように構成する。
【００４７】
請求項２０に記載の発明によれば、決定されたデザイン画像の色彩及び／又は模様を、迅速に、広告主に通知することができる。
【００４８】
請求項２１に記載の発明は、請求項４乃至１７の何れか一項に記載の広告用デザイン募集装置において、前記広告用着衣の表面に対してそれぞれ異なった位置及び／又は大きさにて前記決定されたデザイン画像が表示された複数の広告用着衣画像を前記複数の端末に対して公開するとともに、当該広告用着衣画像の投票入力を促すデザイン位置・大きさ公開手段と、前記広告用着衣画像の投票入力の促しに対して当該広告用着衣画像の投票入力を前記複数の端末から前記ネットワークを介して受付けるデザイン位置・大きさ投票受付手段と、前記受付けられた投票結果に基づいて、前記決定されたデザイン画像の前記広告用着衣における位置及び／又は大きさを決定するデザイン位置・大きさ決定手段と、をさらに備えるように構成する。
【００４９】
請求項２１に記載の発明によれば、決定されたデザイン画像の広告用着衣における位置及び／又は大きさをも、投票によって決定するようにしたので、最も広告コンセプトに合う広告用着衣を広告主に提供することができる。
【００５０】
請求項２２に記載の発明は、請求項４乃至１７の何れか一項に記載の広告用デザイン募集装置において、前記決定されたデザイン画像および、当該デザイン画像を表示すべき広告用着衣画像を前記複数の端末に対して公開するとともに、当該デザイン画像の当該広告用着衣における位置及び／又は大きさの指示を促し、前記端末からの指示に応じた位置及び／又は大きさで前記決定されたデザイン画像を前記広告用着衣画像上に表示して当該端末に公開し、当該広告用着衣画像の投票入力を促すデザイン位置・大きさ公開手段と、前記広告用着衣画像の投票入力の促しに対して当該広告用着衣画像の投票入力を前記複数の端末から前記ネットワークを介して受付けるデザイン位置・大きさ投票受付手段と、前記受付けられた投票結果に基づいて、前記決定されたデザイン画像の前記広告用着衣における位置及び／又は大きさを決定するデザイン位置・大きさ決定手段と、をさらに備えるように構成する。
【００５１】
請求項２２に記載の発明によれば、決定されたデザイン画像の広告用着衣における位置及び／又は大きさをも、投票によって決定するようにしたので、最も広告コンセプトに合う広告用着衣を広告主に提供することができる。
【００５２】
請求項２３に記載の発明は、請求項２１または２２に記載の広告用デザイン募集装置において、前記デザイン通知手段は、前記決定されたデザイン画像の前記広告用着衣における位置及び／又は大きさを示す情報を、前記ネットワークに接続された前記広告用着衣の製造者の端末に対して通知するように構成する。
【００５３】
請求項２３に記載の発明によれば、決定されたデザイン画像の広告用着衣における位置及び／又は大きさを、迅速に、広告主に通知することができる。
【００５４】
請求項２４に記載の発明は、請求項４乃至１７の何れか一項に記載の広告用デザイン募集装置において、前記決定されたデザイン画像を、前記ネットワーク上で、これに接続される複数の端末に対して公開するとともに、当該デザインの使用を募集するデザイン使用募集手段と、前記複数の端末から前記ネットワークを介して前記デザイン画像の使用の希望があった場合に、前記ネットワークに接続された広告主の端末に当該デザイン画像の使用の希望があったことを示す情報を通知するデザイン使用希望通知手段と、をさらに備えるように構成する。
【００５５】
請求項２４に記載の発明によれば、ある広告主のデザイン画像を他の広告主に使用させることができる。
【００５６】
請求項２５に記載の発明は、請求項４乃至２４の何れか一項に記載の広告用デザイン募集装置において、前記複数の端末は、デザイナーの端末であるように構成する。
【００５７】
請求項２６に記載の発明は、広告主により提供される広告用着衣の表面に表示されるデザイン画像を募集する広告用デザイン募集方法であって、前記広告主から提供された広告コンセプトを、前記ネットワーク上で、これに接続される複数の端末に対して公開するとともに、当該広告コンセプトに合うデザイン画像を募集するデザイン募集工程と、前記デザイン画像の募集に対して前記複数の端末から前記ネットワークを介して提供されたデザイン画像を受付け、データベースに登録するデザイン登録工程と、前記データベースに登録された複数のデザイン画像を、前記ネットワーク上で、前記複数の端末に対して公開するとともに、当該デザイン画像の投票入力を促すデザイン公開工程と、前記デザイン画像の投票入力の促しに対して当該デザイン画像の投票入力を前記複数の端末から前記ネットワークを介して受付けるデザイン投票受付工程と、前記受付けられた投票結果に基づいて、前記登録された複数のデザイン画像のうち、前記広告用着衣の表面に表示されるべきデザイン画像を決定するデザイン決定工程と、を備えるように構成する。
【００５８】
請求項２６に記載の発明によれば、請求項４に記載の発明と同様の効果を得ることができる。
【００５９】
請求項２７に記載の発明は、広告主により提供される広告用着衣の表面に表示されるデザイン画像を募集する広告用デザイン募集方法であって、前記広告主から提供された広告コンセプトを、前記ネットワーク上で、これに接続される複数の端末に対して公開するとともに、当該広告コンセプトに合うデザイン画像を募集するデザイン募集工程と、前記デザイン画像の募集に対して前記複数の端末から前記ネットワークを介して提供されたデザイン画像を受付け、データベースに登録するデザイン登録工程と、前記データベースに登録された複数のデザイン画像を、前記ネットワーク上で、前記複数の端末に対して公開するとともに、当該デザイン画像の投票入力を促すデザイン公開工程と、前記デザイン画像の投票入力の促しに対して当該デザイン画像の投票入力を前記複数の端末から前記ネットワークを介して受付ける第１デザイン投票受付工程と、前記受付けられた投票結果に基づいて、前記登録された複数のデザイン画像のうちから所定数のデザイン画像に絞り込むデザイン絞込工程と、前記絞り込まれた所定数のデザイン画像を、前記ネットワーク上で、前記複数の端末に対して公開するとともに、当該所定数のデザイン画像の投票入力を促す絞込デザイン公開工程と、前記所定数のデザイン画像の投票入力の促しに対して当該デザイン画像の投票入力を前記複数の端末から前記ネットワークを介して受付ける第２デザイン投票受付工程と、前記第２デザイン投票受付手段により受付けられた投票結果に基づいて、前記広告用着衣の表面に表示されるべきデザイン画像を決定するデザイン決定工程と、を備えるように構成する。
【００６０】
請求項２７に記載の発明によれば、請求項８に記載の発明と同様の効果を得ることができる。
【００６１】
請求項２８に記載の発明は、広告主により提供される広告用着衣の表面に表示されるデザイン画像を募集する広告用デザイン募集方法であって、前記広告主から提供された広告コンセプトを、前記ネットワーク上で、これに接続される複数の端末に対して公開するとともに、当該広告コンセプトに合うデザイン画像を募集するデザイン募集工程と、前記デザイン画像の募集に対して前記複数の端末から前記ネットワークを介して提供されたデザイン画像を受付け、データベースに登録するデザイン登録工程と、前記データベースに登録された複数のデザイン画像を、前記ネットワーク上で、前記複数の端末に対して公開するとともに、当該デザイン画像の投票入力を促すデザイン公開工程と、前記デザイン画像の投票入力の促しに対して当該デザイン画像の投票入力を前記複数の端末から前記ネットワークを介して受付ける第１デザイン投票受付工程と、前記受付けられた投票結果に基づいて、前記登録された複数のデザイン画像の人気度を示すランキングを決定するランキング決定工程と、前記決定された人気度を示すランキングを前記ネットワーク上で、前記複数の端末に対して公開するとともに、当該ランキング中のデザイン画像の投票入力を促すランキング公開工程と、前記ランキング中のデザイン画像の投票入力の促しに対して当該デザイン画像の投票入力を前記複数の端末から前記ネットワークを介して受付ける第２デザイン投票受付工程と、前記第２デザイン投票受付手段により受付けられた投票結果に基づいて、前記広告用着衣の表面に表示されるべきデザイン画像を決定するデザイン決定工程と、を備えるように構成する。
【００６２】
請求項２８に記載の発明によれば、請求項１２に記載の発明と同様の効果を得ることができる。
【００６３】
請求項２９に記載の発明は、ネットワークに接続され、広告主により提供される広告用着衣の表面に表示されるデザイン画像を募集する広告用デザイン募集装置に含まれるコンピュータを、前記広告主から提供された広告コンセプトを、前記ネットワーク上で、これに接続される複数の端末に対して公開するとともに、当該広告コンセプトに合うデザイン画像を募集するデザイン募集手段、前記デザイン画像の募集に対して前記複数の端末から前記ネットワークを介して提供されたデザイン画像を受付け、データベースに登録するデザイン登録手段、前記データベースに登録された複数のデザイン画像を、前記ネットワーク上で、前記複数の端末に対して公開するとともに、当該デザイン画像の投票入力を促すデザイン公開手段、前記デザイン画像の投票入力の促しに対して当該デザイン画像の投票入力を前記複数の端末から前記ネットワークを介して受付けるデザイン投票受付手段、前記受付けられた投票結果に基づいて、前記登録された複数のデザイン画像のうち、前記広告用着衣の表面に表示されるべきデザイン画像を決定するデザイン決定手段、として機能させるように構成する。
【００６４】
請求項２９に記載の発明によれば、広告用デザイン募集処理プログラムがコンピュータに組み込まれることにより、請求項４の記載の広告用デザイン募集装置を実現することができる。
【００６５】
請求項３０に記載の発明は、請求項２９に記載の広告用デザイン募集処理プログラムにおいて、前記デザイン公開手段は、前記データベースに登録された複数のデザイン画像を、前記ネットワーク上で、前記複数の端末のうち予め設定された特定の端末のみに対して公開するとともに、当該デザイン画像の投票入力を促し、前記デザイン投票受付手段は、前記デザイン画像の投票入力の促しに対して当該デザイン画像の投票入力を前記特定の端末から前記ネットワークを介して受付けるものであって、前記デザイン決定手段は、前記特定の端末から受付けられた投票結果に基づいて、前記登録された複数のデザイン画像のうち、前記広告用着衣の表面に表示されるべきデザイン画像を決定するように構成する。
【００６６】
請求項３０に記載の発明によれば、広告用デザイン募集処理プログラムがコンピュータに組み込まれることにより、請求項５の記載の広告用デザイン募集装置を実現することができる。
【００６７】
請求項３１に記載の発明は、請求項２９または３０に記載の広告用デザイン募集処理プログラムにおいて、前記コンピュータを、前記デザイン画像の投票入力が受付けられる毎に、これに対応するデザイン画像に対応付けて、予め設定されたポイント数を前記データベースに登録するポイント登録手段として機能させ、前記デザイン決定手段は、前記登録されたポイント数を前記デザイン画像毎に集計し、当該集計結果に基づいて、前記登録された複数のデザイン画像のうち、前記広告用着衣の表面に表示されるべきデザイン画像を決定するように構成する。
【００６８】
請求項３１に記載の発明によれば、広告用デザイン募集処理プログラムがコンピュータに組み込まれることにより、請求項６の記載の広告用デザイン募集装置を実現することができる。
【００６９】
請求項３２に記載の発明は、請求項２９に記載の広告用デザイン募集処理プログラムにおいて、前記コンピュータを、前記デザイン画像の投票入力が受付けられる毎に、これに対応するデザイン画像に対応付けて、予め設定されたポイント数を前記データベースに登録するポイント登録手段、前記受付けられた前記デザイン画像の投票入力を行った端末が予め設定された特定の端末であるか否かを判断する端末判断手段、としてさらに機能させ、前記ポイント登録手段は、前記受付けられたデザイン画像の投票入力が前記特定の端末からの投票入力であった場合には、前記特定の端末以外からの投票入力のときよりも高いポイント数を、当該デザイン画像に対応付けて前記データベースに登録し、前記デザイン決定手段は、前記登録されたポイント数を前記デザイン画像毎に集計し、当該集計結果に基づいて、前記登録された複数のデザイン画像のうち、前記広告用着衣の表面に表示されるべきデザイン画像を決定するように構成する。
【００７０】
請求項３２に記載の発明によれば、広告用デザイン募集処理プログラムがコンピュータに組み込まれることにより、請求項７の記載の広告用デザイン募集装置を実現することができる。
【００７１】
請求項３３に記載の発明は、ネットワークに接続され、広告主により提供される広告用着衣の表面に表示されるデザイン画像を募集する広告用デザイン募集装置に含まれるコンピュータを、前記広告主から提供された広告コンセプトを、前記ネットワーク上で、これに接続される複数の端末に対して公開するとともに、当該広告コンセプトに合うデザイン画像を募集するデザイン募集手段、前記デザイン画像の募集に対して前記複数の端末から前記ネットワークを介して提供されたデザイン画像を受付け、データベースに登録するデザイン登録手段、前記データベースに登録された複数のデザイン画像を、前記ネットワーク上で、前記複数の端末に対して公開するとともに、当該デザイン画像の投票入力を促すデザイン公開手段、前記デザイン画像の投票入力の促しに対して当該デザイン画像の投票入力を前記複数の端末から前記ネットワークを介して受付ける第１デザイン投票受付手段、前記受付けられた投票結果に基づいて、前記登録された複数のデザイン画像のうちから所定数のデザイン画像に絞り込むデザイン絞込手段、前記絞り込まれた所定数のデザイン画像を、前記ネットワーク上で、前記複数の端末に対して公開するとともに、当該所定数のデザイン画像の投票入力を促す絞込デザイン公開手段、前記所定数のデザイン画像の投票入力の促しに対して当該デザイン画像の投票入力を前記複数の端末から前記ネットワークを介して受付ける第２デザイン投票受付手段、前記第２デザイン投票受付手段により受付けられた投票結果に基づいて、前記広告用着衣の表面に表示されるべきデザイン画像を決定するデザイン決定手段、として機能させるように構成する。
【００７２】
請求項３３に記載の発明によれば、広告用デザイン募集処理プログラムがコンピュータに組み込まれることにより、請求項８の記載の広告用デザイン募集装置を実現することができる。
【００７３】
請求項３４に記載の発明は、請求項３３に記載の広告用デザイン募集処理プログラムにおいて、前記デザイン公開手段は、前記データベースに登録された複数のデザイン画像を、前記ネットワーク上で、前記複数の端末のうち予め設定された特定の端末のみに対して公開するとともに、当該デザイン画像の投票入力を促し、前記第１デザイン投票受付手段は、前記デザイン画像の投票入力の促しに対して当該デザイン画像の投票入力を前記特定の端末から前記ネットワークを介して受付けるものであって、前記デザイン絞込手段は、前記特定の端末から受付けられた投票結果に基づいて、前記登録された複数のデザイン画像のうちから所定数のデザイン画像に絞り込むように構成する。
【００７４】
請求項３４に記載の発明によれば、広告用デザイン募集処理プログラムがコンピュータに組み込まれることにより、請求項９の記載の広告用デザイン募集装置を実現することができる。
【００７５】
請求項３５に記載の発明は、請求項３３または３４に記載の広告用デザイン募集処理プログラムにおいて、前記コンピュータを、前記第１デザイン投票受付手段によりデザイン画像の投票入力が受付けられる毎に、これに対応するデザイン画像に対応付けて、予め設定されたポイント数を前記データベースに登録するポイント登録手段としてさらに機能させ、前記デザイン絞込手段は、前記登録されたポイント数を前記デザイン画像毎に集計し、当該集計結果に基づいて、前記登録された複数のデザイン画像のうちから所定数のデザイン画像に絞り込むように構成する。
【００７６】
請求項３５に記載の発明によれば、広告用デザイン募集処理プログラムがコンピュータに組み込まれることにより、請求項１０の記載の広告用デザイン募集装置を実現することができる。
【００７７】
請求項３６に記載の発明は、請求項３３に記載の広告用デザイン募集募集処理プログラムにおいて、前記コンピュータを、前記第１デザイン投票受付手段によりデザイン画像の投票入力が受付けられる毎に、これに対応するデザイン画像に対応付けて、予め設定されたポイント数を前記データベースに登録するポイント登録手段、前記第１デザイン投票受付手段により受付けられた前記デザイン画像の投票入力を行った端末が予め設定された特定の端末であるか否かを判断する端末判断手段、としてさらに機能させ、前記ポイント登録手段は、前記第１デザイン投票受付手段により受付けられたデザイン画像の投票入力が前記特定の端末からの投票入力であった場合には、前記特定の端末以外からの投票入力のときよりも高いポイント数を、当該デザイン画像に対応付けて前記データベースに登録し、前記デザイン絞込手段は、前記登録されたポイント数を前記デザイン画像毎に集計し、当該集計結果に基づいて、前記登録された複数のデザイン画像のうちから所定数のデザイン画像に絞り込むように構成する。
【００７８】
請求項３６に記載の発明によれば、広告用デザイン募集処理プログラムがコンピュータに組み込まれることにより、請求項１１の記載の広告用デザイン募集装置を実現することができる。
【００７９】
請求項３７に記載の発明は、ネットワークに接続され、広告主により提供される広告用着衣の表面に表示されるデザイン画像を募集する広告用デザイン募集装置に含まれるコンピュータを、前記広告主から提供された広告コンセプトを、前記ネットワーク上で、これに接続される複数の端末に対して公開するとともに、当該広告コンセプトに合うデザイン画像を募集するデザイン募集手段、前記デザイン画像の募集に対して前記複数の端末から前記ネットワークを介して提供されたデザイン画像を受付け、データベースに登録するデザイン登録手段、前記データベースに登録された複数のデザイン画像を、前記ネットワーク上で、前記複数の端末に対して公開するとともに、当該デザイン画像の投票入力を促すデザイン公開手段、前記デザイン画像の投票入力の促しに対して当該デザイン画像の投票入力を前記複数の端末から前記ネットワークを介して受付ける第１デザイン投票受付手段、前記受付けられた投票結果に基づいて、前記登録された複数のデザイン画像の人気度を示すランキングを決定するランキング決定手段、前記決定された人気度を示すランキングを前記ネットワーク上で、前記複数の端末に対して公開するとともに、当該ランキング中のデザイン画像の投票入力を促すランキング公開手段、前記ランキング中のデザイン画像の投票入力の促しに対して当該デザイン画像の投票入力を前記複数の端末から前記ネットワークを介して受付ける第２デザイン投票受付手段、前記第２デザイン投票受付手段により受付けられた投票結果に基づいて、前記広告用着衣の表面に表示されるべきデザイン画像を決定するデザイン決定手段、として機能させるように構成する。
【００８０】
請求項３７に記載の発明によれば、広告用デザイン募集処理プログラムがコンピュータに組み込まれることにより、請求項１２の記載の広告用デザイン募集装置を実現することができる。
【００８１】
請求項３８に記載の発明は、請求項３７に記載の広告用デザイン募集処理プログラムにおいて、前記デザイン公開手段は、前記データベースに登録された複数のデザイン画像を、前記ネットワーク上で、前記複数の端末のうち予め設定された特定の端末のみに対して公開するとともに、当該デザイン画像の投票入力を促し、前記第１デザイン投票受付手段は、前記デザイン画像の投票入力の促しに対して当該デザイン画像の投票入力を前記特定の端末から前記ネットワークを介して受付けるものであって、前記ランキング決定手段は、前記受付けられた投票結果に基づいて、前記登録された複数のデザイン画像の人気度を示すランキングを決定するように構成する。
【００８２】
請求項３８に記載の発明によれば、広告用デザイン募集処理プログラムがコンピュータに組み込まれることにより、請求項１３の記載の広告用デザイン募集装置を実現することができる。
【００８３】
請求項３９に記載の発明は、請求項３７または３８に記載の広告用デザイン募集処理プログラムにおいて、前記コンピュータを、前記第１デザイン投票受付手段によりデザイン画像の投票入力が受付けられる毎に、これに対応するデザイン画像に対応付けて、予め設定されたポイント数を前記データベースに登録するポイント登録手段としてさらに機能させ、前記ランキング決定手段は、前記登録されたポイント数を前記デザイン画像毎に集計し、当該集計結果に基づいて、前記登録された複数のデザイン画像の人気度を示すランキングを決定するように構成する。
【００８４】
請求項３９に記載の発明によれば、広告用デザイン募集処理プログラムがコンピュータに組み込まれることにより、請求項１４の記載の広告用デザイン募集装置を実現することができる。
【００８５】
請求項４０に記載の発明は、請求項３７に記載の広告用デザイン募集処理プログラムにおいて、前記コンピュータを、前記第１デザイン投票受付手段によりデザイン画像の投票入力が受付けられる毎に、これに対応するデザイン画像に対応付けて、予め設定されたポイント数を前記データベースに登録するポイント登録手段、前記第１デザイン投票受付手段により受付けられた前記デザイン画像の投票入力を行った端末が予め設定された特定の端末であるか否かを判断する端末判断手段、としてさらに機能させ、前記ポイント登録手段は、前記第１デザイン投票受付手段により受付けられたデザイン画像の投票入力が前記特定の端末からの投票入力であった場合には、前記特定の端末以外からの投票入力のときよりも高いポイント数を、当該デザイン画像に対応付けて前記データベースに登録し、前記ランキング決定手段は、前記登録されたポイント数を前記デザイン画像毎に集計し、当該集計結果に基づいて、前記登録された複数のデザイン画像の人気度を示すランキングを決定するように構成する。
【００８６】
請求項４０に記載の発明によれば、広告用デザイン募集処理プログラムがコンピュータに組み込まれることにより、請求項１５の記載の広告用デザイン募集装置を実現することができる。
【００８７】
請求項４１に記載の発明は、請求項２９乃至４０の何れか一項に記載の広告用デザイン募集処理プログラムにおいて、前記コンピュータを、前記ネットワークに接続された広告主の端末から提供された前記広告コンセプトを受付ける広告コンセプト受付手段としてさらに機能させるように構成する。
【００８８】
請求項４１に記載の発明によれば、広告用デザイン募集処理プログラムがコンピュータに組み込まれることにより、請求項１６の記載の広告用デザイン募集装置を実現することができる。
【００８９】
請求項４２に記載の発明は、請求項２９乃至４１の何れか一項に記載の広告用デザイン募集処理プログラムにおいて、前記コンピュータを、前記決定されたデザイン画像を、前記ネットワークに接続された前記広告用着衣の製造者の端末に対して通知するデザイン通知手段としてさらに機能させるように構成する。
【００９０】
請求項４２に記載の発明によれば、広告用デザイン募集処理プログラムがコンピュータに組み込まれることにより、請求項１７の記載の広告用デザイン募集装置を実現することができる。
【００９１】
請求項４３に記載の発明は、請求項２９乃至４２の何れか一項に記載の広告用デザイン募集処理プログラムにおいて、前記コンピュータを、前記決定されたデザイン画像に対してそれぞれ異なった色彩及び／又は模様が施された複数のデザイン画像を前記複数の端末に対して公開するとともに、当該デザイン画像の投票入力を促すデザイン色彩・模様公開手段、前記色彩及び／又は模様が施されたデザイン画像の投票入力の促しに対して当該デザイン画像の投票入力を前記複数の端末から前記ネットワークを介して受付けるデザイン色彩・模様投票受付手段、前記受付けられた投票結果に基づいて、前記決定されたデザイン画像の色彩及び／又は模様を決定するデザイン色彩・模様決定手段、としてさらに機能させるように構成する。
【００９２】
請求項４３に記載の発明によれば、広告用デザイン募集処理プログラムがコンピュータに組み込まれることにより、請求項１８の記載の広告用デザイン募集装置を実現することができる。
【００９３】
請求項４４に記載の発明は、請求項２９乃至４２の何れか一項に記載の広告用デザイン募集処理プログラムにおいて、前記コンピュータを、前記決定されたデザイン画像を前記複数の端末に対して公開するとともに、当該デザイン画像に施すべき複数の色彩及び／又は模様を公開して選択を促し、前記端末からの色彩及び／又は模様の選択に応じて、当該選択された色彩及び／又は模様を前記決定されたデザイン画像に施して当該端末に公開し、当該デザイン画像の投票入力を促すデザイン色彩・模様公開手段、前記色彩及び／又は模様が施されたデザイン画像の投票入力の促しに対して当該デザイン画像の投票入力を前記複数の端末から前記ネットワークを介して受付けるデザイン色彩・模様投票受付手段、前記受付けられた投票結果に基づいて、前記決定されたデザイン画像の色彩及び／又は模様を決定するデザイン色彩・模様決定手段、としてさらに機能させるように構成する。
【００９４】
請求項４４に記載の発明によれば、広告用デザイン募集処理プログラムがコンピュータに組み込まれることにより、請求項１９の記載の広告用デザイン募集装置を実現することができる。
【００９５】
請求項４５に記載の発明は、請求項４３または４４に記載の広告用デザイン募集処理プログラムにおいて、前記デザイン通知手段は、前記決定されたデザイン画像の色彩及び／又は模様を示す情報を、前記ネットワークに接続された前記広告用着衣の製造者の端末に対して通知するように構成する。
【００９６】
請求項４５に記載の発明によれば、広告用デザイン募集処理プログラムがコンピュータに組み込まれることにより、請求項２０の記載の広告用デザイン募集装置を実現することができる。
【００９７】
請求項４６に記載の発明は、請求項２９乃至４２の何れか一項に記載の広告用デザイン募集処理プログラムにおいて、前記コンピュータを、前記広告用着衣の表面に対してそれぞれ異なった位置及び／又は大きさにて前記決定されたデザイン画像が表示された複数の広告用着衣画像を前記複数の端末に対して公開するとともに、当該広告用着衣画像の投票入力を促すデザイン位置・大きさ公開手段、前記広告用着衣画像の投票入力の促しに対して当該広告用着衣画像の投票入力を前記複数の端末から前記ネットワークを介して受付けるデザイン位置・大きさ投票受付手段、前記受付けられた投票結果に基づいて、前記決定されたデザイン画像の前記広告用着衣における位置及び／又は大きさを決定するデザイン位置・大きさ決定手段、としてさらに機能させるように構成する。
【００９８】
請求項４６に記載の発明によれば、広告用デザイン募集処理プログラムがコンピュータに組み込まれることにより、請求項２１の記載の広告用デザイン募集装置を実現することができる。
【００９９】
請求項４７に記載の発明は、請求項２９乃至４２の何れか一項に記載の広告用デザイン募集処理プログラムにおいて、前記コンピュータを、前記決定されたデザイン画像および、当該デザイン画像を表示すべき広告用着衣画像を前記複数の端末に対して公開するとともに、当該デザイン画像の当該広告用着衣における位置及び／又は大きさの指示を促し、前記端末からの指示に応じた位置及び／又は大きさで前記決定されたデザイン画像を前記広告用着衣画像上に表示して当該端末に公開し、当該広告用着衣画像の投票入力を促すデザイン位置・大きさ公開手段、前記広告用着衣画像の投票入力の促しに対して当該広告用着衣画像の投票入力を前記複数の端末から前記ネットワークを介して受付けるデザイン位置・大きさ投票受付手段、前記受付けられた投票結果に基づいて、前記決定されたデザイン画像の前記広告用着衣における位置及び／又は大きさを決定するデザイン位置・大きさ決定手段、としてさらに機能させるように構成する。
【０１００】
請求項４７に記載の発明によれば、広告用デザイン募集処理プログラムがコンピュータに組み込まれることにより、請求項２２の記載の広告用デザイン募集装置を実現することができる。
【０１０１】
請求項４８に記載の発明は、請求項４６または４７に記載の広告用デザイン募集処理プログラムにおいて、前記デザイン通知手段は、前記決定されたデザイン画像の前記広告用着衣における位置及び／又は大きさ示す情報を、前記ネットワークに接続された前記広告用着衣の製造者の端末に対して通知するように構成する。
【０１０２】
請求項４８に記載の発明によれば、広告用デザイン募集処理プログラムがコンピュータに組み込まれることにより、請求項２３の記載の広告用デザイン募集装置を実現することができる。
【０１０３】
【発明の実施の形態】
以下、本発明の好適な実施の形態を添付図面に基づいて説明する。なお、以下の説明は、広告用デザイン募集システムに対して本発明を適用した場合の実施形態である。
【０１０４】
先ず、図１を参照して、本実施形態における広告用デザイン募集システムの構成について説明する。
【０１０５】
図１は、本実施形態（第１実施形態から第３実施形態に共通）における広告用デザイン募集システムの概略構成を示すブロック図である。図１に示すように、広告用デザイン募集システム１は、広告用デザイン募集装置としての広告用デザイン募集サーバ１１、広告主の端末１２、一般会員の端末１３、特定会員の端末１４、不特定者の端末１５および、広告用着衣の製造者の端末１６を含んで構成され、これらは、ネットワークとしてのインターネット１７を介して相互に接続されている。
【０１０６】
ここで、広告用デザイン募集サーバ１１は、デザイン支援業者によって運用、管理される。また、端末１３は、広告用デザイン募集システム１を利用する一般会員によって使用されるものである。かかる一般会員は、デザイン支援業者によって募集され、登録されたデザイナーである。また、端末１４は、広告用デザイン募集システム１を利用する特定会員によって使用されるものである。かかる特定会員は、例えば、デザイナーよりも人気がありカリスマ性の高い、いわゆるカリスマデザイナーであって、デザイン支援業者により選ばれ、登録された者である。また、端末１５は、不特定者、即ち、未会員（一般人）によって使用されるものである。
【０１０７】
なお、図１に示すサーバおよび端末の数は、説明の便宜上設定したものであり、かかる数に限定されるものではない。また、広告主の端末１２、一般会員の端末１３、特定会員の端末１４、不特定者の端末１５および、広告用着衣の製造者の端末１６は、インターネットサービスプロバイダ（ＩＳＰ）のサーバを介してインターネット１７に接続することになるが、ＩＳＰのサーバはインターネット１７の一部であるものとし、また、インターネット１７に接続するためのダイヤルアップＩＰ接続等の処理手続は、公知の技術であるので説明を省略する。また、端末１２〜端末１６には、公知の通信機能やブラウザ機能を有するパーソナルコンピュータ、ＰＤＡ（Ｐｅｒｓｏｎａｌ　Ｄｉｇｉｔａｌ　Ａｓｓｉｓｔａｎｔ）、携帯電話機等が適用可能である。
【０１０８】
以上のような広告用デザイン募集システム１によって、広告主から提供された広告コンセプトに合う広告用着衣の表面に表示されるデザイン画像が募集され、決定されることになる。
【０１０９】
ここで、広告用着衣とは、着衣製造販売業者、大手企業、中小企業、地域密着型企業、地域の商店街、タウン誌業者、ＮＰＯ（非営利民間組織）、地方自治体、町内会および芸能プロダクション等の広告主が自らの活動、商品、サービス、事業内容等を宣伝広告するために、その広告主の希望するデザイン画像（即ち、広告主の広告コンセプトに合うデザイン画像）が表示された着衣をいう。この着衣には、Ｔシャツ、Ｙシャツ、トレーナー、ジャンバー、パンツ、帽子、ネクタイ等の人間或いは動物が身につける全てのものが含まれる。そして、このような広告用着衣は、一般の消費者等、例えば、広告主によって選ばれた消費者に一定期間、一定場所で着てもらうために、無料で配布される。
【０１１０】
また、デザイン画像とは、広告用着衣上や、端末のディスプレイ上等に表示され人間が視覚により認識できる画像（電子的な画像に限らない）であって、人間，動物などのイメージキャラクターや、絵、文字等が平面的、立体的に表された画像をいう。
【０１１１】
（第１実施形態）
次に、図２を参照して、第１実施形態における広告用デザイン募集システム１を用い、広告主が広告コンセプトを提供してから広告用着衣が一般消費者に渡るまでの流れについて説明する。
【０１１２】
図２は、第１実施形態において、広告主が広告コンセプトを提供してから、広告用着衣が一般消費者に渡るまでの流れを示す概念図である。図２に示すように、先ず、広告主は、端末１２からデザイン支援業者の広告用デザイン募集サーバ１１に広告コンセプトを提供する（フェーズＦ１）。次に、広告用デザイン募集サーバ１１は、提供された広告コンセプトを登録し、一般会員の端末１３に公開するとともに、当該広告コンセプトに合うデザイン画像を募集する（フェーズＦ２）。次に、一般会員は、端末１３から広告用デザイン募集サーバ１１に、その広告コンセプトに合うデザイン画像を提供する（フェーズＦ３）。
【０１１３】
次に、広告用デザイン募集サーバ１１は、提供されたデザイン画像を登録し、一般会員の端末１３および特定会員の端末１４に公開するとともに、当該デザイン画像の投票入力を促す（フェーズＦ４）。つまり、一般会員である多くのデザイナーから集められた複数のデザイン画像のうち、どのデザイン画像が広告主の広告コンセプトに合うデザイン画像であるかの投票が、多くのデザイナーおよびカリスマデザイナーに促される。なお、広告用デザイン募集サーバ１１は、登録されたデザイン画像を、特定会員にのみに公開し、当該デザイン画像の投票入力を促すようにしてもよい。
【０１１４】
次に、一般会員若しくは特定会員は、端末１３若しくは端末１４から広告用デザイン募集サーバ１１に、デザイン画像の投票入力を行う（フェーズＦ５）。次に、広告用デザイン募集サーバ１１は、受付けられた投票結果に基づいて、登録された複数のデザイン画像のうち、広告用着衣の表面に表示されるべきデザイン画像を決定し、製造者の端末１６に当該デザイン画像を通知する（フェーズＦ６）。
【０１１５】
こうして、製造者は、通知されたデザイン画像が表示された広告用着衣を製造し、広告主に納品する。広告主は、その広告用着衣を、例えば、広告主によって選ばれた消費者に無料で配布する。そして、一般の消費者等は、配付された広告用着衣を着用して外出、ショッピングをしたり、繁華街を歩くことにより、動く広告塔として機能する。これにより、広告主の知名度や、売上拡大に貢献することになる。つまり、広告用デザイン募集システム１によって決定されたデザイン画像は、より洗練されたものであり、デザイン性にも優れているものであるため、そのデザイン画像が表示された広告用着衣を着用して、動く広告塔となった一般の消費者等は、人目につきやすく、広告効果が極めて高い。特に、口コミによる広告効果が期待される。また、一般の消費者等にとっても、より洗練されたデザイン画像が表示された広告用着衣を無料で取得するといったメリットがある。
【０１１６】
次に、図３を参照して、以上の流れの中で、中核となって動作する広告用デザイン募集サーバ１１の構成および機能について説明する。
【０１１７】
図３は、広告用デザイン募集サーバ１１の機能ブロックを示す図である。図３に示すように、広告用デザイン募集サーバ１１は、ＣＰＵを主体として構成された処理部１１１、所定のプログラムおよびデータ等を記憶する記憶部（ＩＣメモリ、ハードディスクなど）１１２および、インターネット１７に接続しデータ通信を行うための通信部１１３を備えている。なお、この他にも、入力部、表示部等を備えるが、図示を省略する。
【０１１８】
処理部１１１は、記憶部１１２に記憶されたプログラムに従い、広告用デザイン募集サーバ１１全体の動作制御を担う。また、処理部１１１は、広告用デザイン募集サーバ１１を、インターネット１７上でこれに接続される端末に対して情報をＷｅｂページとして公開するＷｅｂサーバとして機能させるとともに、メールサーバとしても機能させ、電子メールの送受信の制御も行うようになっている。また、処理部１１１は、端末１３および端末１４から入力された識別コードやパスワードに基づき、端末１３および端末１４の使用者が一般会員であるか、或いは、特定会員であるかの会員認証を行う認証サーバとしての機能を有する。さらに、処理部１１１は、記憶部１１２に記憶された広告用デザイン募集処理プログラムにより、広告コンセプト受付手段、デザイン募集手段、デザイン登録手段、デザイン公開手段、デザイン投票受付手段、端末判断手段、ポイント登録手段、デザイン決定手段およびデザイン通知手段として機能する。
【０１１９】
記憶部１１２には、広告主から提供された広告コンセプトを、その広告主に対応付けて登録（記憶）するための広告コンセプト登録データベース１１２ａが論理的に構築されている。また、記憶部１１２には、一般会員の端末１３からインターネット１７を介して提供されたデザイン画像のデータを登録（記憶）するためのデータベースとしてのデザイン登録データベース１１２ｂが論理的に構築されている。
【０１２０】
また、記憶部１１２には、広告主、一般会員、特定会員および製造者の情報（例えば、住所、氏名、電子メールアドレスなど。一般会員および特定会員にあっては、識別コードおよびパスワード）を登録（記憶）するための情報データベース１１２ｃが論理的に構築されている。なお、情報データベース１１２ｃに登録すべき情報は、例えば、それぞれの端末からインターネット１７を介して送信されて登録される。また、デザイン支援業者のオペレータが、これらの情報をＦＡＸ、電話で受け、情報データベース１１２ｃに登録するようにしてもよい。
【０１２１】
さらに、記憶部１１２には、上記Ｗｅｂページが、例えば、ＨＴＭＬ（Ｈｙｐｅｒ　Ｔｅｘｔ　Ｍａｒｋｕｐ　Ｌａｎｇｕａｇｅ）、ＸＭＬ（Ｅｘｔｅｎｓｉｂｌｅ　Ｍａｒｋｕｐ　Ｌａｎｇｕａｇｅ）形式で記憶されている。
【０１２２】
なお、上記実施形態においては、広告用デザイン募集サーバ１１を一体化して、一つのサーバで全ての機能を担うように構成したが、これに限定されるものではなく、Ｗｅｂサーバ、認証サーバ、メールサーバ、データベースサーバというように、サーバを複数に分割し、役割分担させるように構成してもよい。
【０１２３】
次に、図４および図５を参照して、第１実施形態における広告用デザイン募集サーバ１１を主体とした広告用デザイン募集システム１の動作について説明する。
【０１２４】
図４は、図２に示す流れの中で、広告コンセプトに合うデザイン画像が登録されるまでにおける広告用デザイン募集サーバ１１の処理を示すフローチャートである。図５は、図２に示す流れの中で、広告コンセプトに合うデザイン画像の公開から、決定されたデザイン画像の通知までにおける広告用デザイン募集サーバ１１の処理を示すフローチャートである。
【０１２５】
先ず、図４において、一般会員が端末１３から、例えば、デザイン支援業者のサイトのＵＲＬ（Ｕｎｉｆｏｒｍ　Ｒｅｓｏｕｒｃｅ　Ｌｏｃａｔｏｒ）を指定して、広告用デザイン募集サーバ１１にアクセスすると、広告用デザイン募集サーバ１１（処理部１１１）は、これに応じ、デザイン支援業者のホームページを端末１３に提供（送信）する（ステップＳ１）。
【０１２６】
このようなホームページ上には、デザイン画像募集に応じるためのボタン等や、一般会員の識別コードおよびパスワードを入力する欄が設けられている。一般会員が、端末１３のキーボード等を操作して、当該入力欄に自己の識別コードおよびパスワードを入力しデザイン画像募集に応じるためのボタンをクリックすると、広告用デザイン募集サーバ１１は、これに応じ（ステップＳ２）、会員認証を実行する（ステップＳ３）。つまり、広告用デザイン募集サーバ１１は、入力された識別コードおよびパスワードが、情報データベース１１２ｃに一般会員として登録されているか否かを判別する。
【０１２７】
入力された識別コードおよびパスワードが一般会員として登録されている場合には、広告用デザイン募集サーバ１１は、デザイン募集手段として、広告主から提供された広告コンセプトを、インターネット１７を介して端末１３に対して公開するとともに、当該広告コンセプトに合うデザイン画像を募集する（ステップＳ４）。より具体的には、広告用デザイン募集サーバ１１は、広告コンセプト、当該広告コンセプトに合うデザイン画像募集の旨および、当該デザイン画像を提供するためのボタン等が記述されたＷｅｂページを端末１３に提供（送信）する。例えば、Ｗｅｂページ上には、広告コンセプトとして、「顧客が好ましい情感や愛情を抱くカジュアルファッションを提供する。」旨の文章が記述されている。このような広告コンセンプトを見た一般会員は、当該広告コンセプトに合うデザイン画像を端末１３、或いは、他の装置に組み込まれている図面作成ソフトを用いて作成し、当該デザイン画像のデータを端末１３のハードディスク等の記録媒体に格納する。
【０１２８】
なお、端末１３に対して公開される広告コンセプトは、例えば、広告主の端末１２からインターネット１７を介して広告用デザイン募集サーバ１１に提供（送信）される。広告用デザイン募集サーバ１１は、広告コンセプト受付手段として、提供された広告コンセプト（広告コンセプトのデータ）を受付け、広告コンセプト登録データベース１１２ａに登録することになる。
【０１２９】
一方、ステップＳ３にて、入力された識別コードおよびパスワードが一般会員として登録されていない場合には、広告用デザイン募集サーバ１１は、処理を終了する。なお、本実施形態においては、ステップＳ３にて会員認証することとし、一般会員の端末１３にのみ、広告主から提供された広告コンセプトを公開し、当該広告コンセプトに合うデザイン画像を募集するように構成したが、別の例として、特定会員の端末１４や、不特定者の端末１５にも広告主から提供された広告コンセプトを公開し、当該広告コンセプトに合うデザイン画像を募集するように構成してもよい。
【０１３０】
次に、一般会員は、上記作成し、端末１３の記録媒体に格納された広告コンセプトに合うデザイン画像のデータを、端末１３からインターネット１７を介して広告用デザイン募集サーバ１１に提供（送信）する。より具体的には、一般会員が、端末１３のキーボード等を操作して、記録媒体に格納されたデザイン画像のデータを指定し、Ｗｅｂページ上に記述されたデザイン画像を提供するためのボタンをマウスによりクリックすると、当該デザイン画像のデータがインターネット１７を介して広告用デザイン募集サーバ１１に提供（送信）されることになる。そして、広告用デザイン募集サーバ１１は、デザイン登録手段として、端末１３から提供（送信）された当該デザイン画像のデータを受付け、デザイン登録データベース１１２ｂに登録する（ステップＳ５）。
【０１３１】
このような当該デザイン画像のデータの提供は、複数の一般会員の端末１３により行われる。その結果、次第に、一つの広告コンセプトに合う複数のデザイン画像のデータが、デザイン登録データベース１１２ｂに登録されていくことになる。勿論、複数の広告コンセプトが広告コンセプト登録データベース１１２ａに登録されている場合には、それらの広告コンセプト毎に対応する複数のデザイン画像のデータが、デザイン登録データベース１１２ｂに登録されることになる。
【０１３２】
次に、図５において、一般会員が端末１３若しくは特定会員が端末１４から、例えば、デザイン支援業者のサイトのＵＲＬを指定して、広告用デザイン募集サーバ１１にアクセスすると、広告用デザイン募集サーバ１１は、これに応じ、デザイン支援業者のホームページを端末１３に提供（送信）する（ステップＳ１１）。
【０１３３】
このようなホームページ上には、登録されたデザイン画像の公開を要求するためのボタン等や、一般会員および特定会員の識別コードおよびパスワードを入力する欄が設けられている。一般会員若しくは特定会員が、端末１３若しくは端末１４のキーボード等を操作して、当該入力欄に自己の識別コードおよびパスワードを入力し登録されたデザイン画像の公開を要求するためのボタンをクリックすると、広告用デザイン募集サーバ１１は、これに応じ（ステップＳ１２）、会員認証を実行する（ステップＳ１３）。つまり、広告用デザイン募集サーバ１１は、入力された識別コードおよびパスワードが、情報データベース１１２ｃに一般会員若しくは特定会員として登録されているか否かを判別する。
【０１３４】
入力された識別コードおよびパスワードが一般会員若しくは特定会員として登録されている場合には、広告用デザイン募集サーバ１１は、一般会員と特定会員の別を認識し、デザイン公開手段として、デザイン登録データベース１１２ｂに登録された複数のデザイン画像のデータを、インターネット１７を介して端末１３若しくは端末１４に対して公開するとともに、当該デザイン画像の投票入力を促す（ステップＳ１４）。より具体的には、広告用デザイン募集サーバ１１は、複数のデザイン画像、投票を促す旨および、複数のデザイン画像のうち何れかのデザイン画像を選択（投票）するためのボタン等が記述されたＷｅｂページを端末１３若しくは端末１４に提供（送信）する。一方、入力された識別コードおよびパスワードが一般会員若しくは特定会員として登録されていない場合には、広告用デザイン募集サーバ１１は、処理を終了する。
【０１３５】
図６に、端末１３若しくは端末１４のディスプレイ上に表示されたデザイン画像投票を促すためのＷｅｂページ例を示す。図６に示すように、かかるＷｅｂページには、その上部に広告コンセプトが、中央部に４つのデザイン画像が、下部に投票を促す旨が表示されている。中央部の４つのデザイン画像は、選択（投票）するためのボタンにもなっている。また、Ｗｅｂページには、次頁ボタンも設けられており、かかるボタンがクリックされると、現在表示されているデザイン画像以外の登録されたデザイン画像が表示されることになる。
【０１３６】
このような表示状態で、一般会員若しくは特定会員が、端末１３若しくは端末１４のマウスにより、Ｗｅｂページに表示されたもののうち、所望のデザイン画像をクリックすることにより投票を行うと、広告用デザイン募集サーバ１１は、これに応じ、デザイン投票受付手段として、かかる投票を受付ける（ステップＳ１５）。
【０１３７】
次に、広告用デザイン募集サーバ１１は、端末判断手段として、当該デザイン画像の投票入力を行った端末が予め設定された特定（特定会員）の端末１４であるか否かを判断する（ステップＳ１６）。即ち、広告用デザイン募集サーバ１１は、上記ステップＳ１４にて認識された一般会員と特定会員の別により、当該端末が、特定会員の端末１４であるか否かを判断する。その結果、当該端末が特定会員の端末１４でなかった場合、つまり、一般会員の端末１３であった場合には、広告用デザイン募集サーバ１１は、ポイント登録手段として、受付けられた投票に対応するデザイン画像のデータに対応付けて、予め設定されたポイント数（例えば、１ポイント）をデザイン登録データベース１１２ｂに登録する（ステップＳ１７）。
【０１３８】
一方、当該端末が、特定会員の端末１４であった場合には、広告用デザイン募集サーバ１１は、ポイント登録手段として、受付けられた投票に対応するデザイン画像のデータに対応付けて、特定（特定会員）の端末１４以外、つまり、ここでは、一般会員の端末１３からの投票入力のときよりも高いポイント数（例えば、３ポイント）をデザイン登録データベース１１２ｂに登録する（ステップＳ１８）。これにより、デザイナーによる１票よりも、カリスマデザイナーによる１票の方を重みつけを大きくすることができるため、より広告コンセプトに合い、かつ、一般の消費者等に気に入られるデザイン画像に対して票が集まっていくことが期待できる。
【０１３９】
以上のようなデザイン登録データベース１１２ｂに登録されたデザイン画像のデータの公開は所定期間行われることになる。つまり、広告用デザイン募集サーバ１１は、デザイン画像の公開開始から所定期間が経過したか否かを判断し（ステップＳ１９）、所定期間が経過した場合に、ステップＳ２０の処理を実行することになる。
【０１４０】
ステップＳ２０では、広告用デザイン募集サーバ１１は、デザイン決定手段として、上記投票結果に基づいて、デザイン登録データベース１１２ｂに登録された複数のデザイン画像のデータのうち、広告用着衣の表面に表示されるべきデザイン画像を決定し、その情報を決定されたデザイン画像のデータに対応付けてデザイン登録データベース１１２ｂに登録する。より具体的には、広告用デザイン募集サーバ１１は、デザイン登録データベース１１２ｂに登録されたポイント数を、登録されたデザイン画像毎に集計し、当該集計結果に基づいて、登録された複数のデザイン画像のうち、広告用着衣の表面に表示されるべきデザイン画像を決定する。例えば、最も投票の多かったデザイン画像が広告用着衣の表面に表示されるべきデザイン画像として決定されることになる。
【０１４１】
次に、広告用デザイン募集サーバ１１は、デザイン通知手段として、決定されたデザイン画像のデータを、インターネット１７を介して広告用着衣の製造者の端末１６に対して通知する（ステップＳ２１）。例えば、広告用デザイン募集サーバ１１は、製造者の端末１６の電子メールアドレスに基づき、デザイン画像のデータを電子メールに添付して送信する。
【０１４２】
こうして、上述したように、製造者は、通知されたデザイン画像が表示された広告用着衣を製造し、広告主に納品する。広告主は、その広告用着衣を一般の消費者等に無料で配布する。そして、一般の消費者等は、配付された広告用着衣を着用して外出、ショッピングをしたり、繁華街を歩くことにより、動く広告塔として機能することになる。なお、広告用デザイン募集サーバ１１は、不特定者の端末１５からインターネット１７を通じて当該デザイン画像が表示された広告用着衣を見たという情報を募集するように構成し、広告用着衣による広告効果を計るようにしてもよい。
【０１４３】
以上説明した通り、第１実施形態によれば、広告主により提供される広告用着衣の表面に表示されるデザイン画像であって、広告主の広告コンセプトに合うデザイン画像を、一般会員から募集し、募集されたデザイン画像の投票をデザイナーや、カリスマデザイナーにより行うので、より洗練され、最も広告主の広告コンセプトに合うデザイン画像を決定することができる。また、デザイナーによる１票よりも、カリスマデザイナーによる１票の方を重みつけを大きくするように構成したため、より一般の消費者等に気に入られるデザイン画像を決定することができる。
【０１４４】
なお、上記第１実施形態においては、登録された複数のデザイン画像を一般会員の端末１３および特定会員の端末１４に対して公開するとともに、当該デザイン画像の投票入力を促すように構成したが、変形例として、登録された複数のデザイン画像を特定会員の端末１４のみに対して公開するとともに、当該デザイン画像の投票入力を促すように構成してもよい。このような構成では、上記ステップＳ１３の会員認証において、広告用デザイン募集サーバ１１は、入力された識別コードおよびパスワードが、情報データベース１１２ｃに特定会員として登録されているか否かを判別する。入力された識別コードおよびパスワードが特定会員として登録されている場合には、広告用デザイン募集サーバ１１は、デザイン公開手段として、デザイン登録データベース１１２ｂに登録された複数のデザイン画像のデータを、インターネット１７を介して端末１４に対して公開するとともに、当該デザイン画像の投票入力を促す。一方、入力された識別コードおよびパスワードが特定会員として登録されていない場合には、処理を終了する。
【０１４５】
このように構成すれば、デザイナーから提供された複数のデザイン画像の投票がカリスマ性のあるカリスマデザイナーのみにより行われるので、一般の消費者等に気に入られるデザイン画像としてより洗練することができる。
【０１４６】
（第２実施形態）
次に、図７を参照して、第２実施形態における広告用デザイン募集システム１を用い、広告主が広告コンセプトを提供してから広告用着衣が一般消費者に渡るまでの流れについて説明する。
【０１４７】
図７は、第２実施形態において、広告主が広告コンセプトを提供してから、広告用着衣が一般消費者に渡るまでの流れを示す概念図である。なお、図７に示すフェーズＦ１１〜Ｆ１５までの流れは、第１実施形態における図２に示すフェーズＦ１〜Ｆ５と同様であるので説明を省略する。
【０１４８】
フェーズＦ１５にて、デザイン画像の投票入力が行われると、次に、広告用デザイン募集サーバ１１は、受付けられた投票結果に基づいて、登録された複数のデザイン画像のうちから所定数（例えば、３〜５個）のデザインに絞り込み、絞り込まれた所定数のデザインを、不特定者の端末１５に公開するとともに、当該デザイン画像の投票入力を促す（フェーズＦ１６）。つまり、一般会員である多くのデザイナーから集められ、絞り込まれた所定数のデザイン画像のうち、どのデザイン画像が広告主の広告コンセプトに合うデザイン画像であるかの投票が、一般人に促される。
【０１４９】
次に、不特定者は、端末１５から広告用デザイン募集サーバ１１に、デザイン画像の投票入力を行う（フェーズＦ１７）。次に、広告用デザイン募集サーバ１１は、受付けられた投票結果に基づいて、絞り込まれた所定数のデザイン画像のうち、広告用着衣の表面に表示されるべきデザイン画像を決定し、製造者の端末１６に当該デザイン画像を通知する（フェーズＦ１８）。これ以降の流れは、第１実施形態と同様である。
【０１５０】
第２実施形態における広告用デザイン募集サーバ１１の構成についても、図３に示す構成となっている。従って、第２実施形態における広告用デザイン募集サーバ１１の構成および機能については、主に、第１実施形態と異なる部分について説明する。
【０１５１】
第２実施形態における広告用デザイン募集サーバ１１における処理部１１１は、第１実施形態と同様、広告用デザイン募集処理プログラムにより、広告コンセプト受付手段、デザイン募集手段、デザイン登録手段、デザイン公開手段、第１デザイン投票受付手段（第１実施形態においては、デザイン投票受付手段）、端末判断手段、ポイント登録手段、デザイン決定手段およびデザイン通知手段として機能し、さらに、デザイン絞込手段、絞込デザイン公開手段および第２デザイン投票受付手段としても機能する。
【０１５２】
次に、図８および図９を参照して、第２実施形態における広告用デザイン募集サーバ１１を主体とした広告用デザイン募集システム１の動作について説明する。
【０１５３】
図８は、図７に示す流れの中で、広告コンセプトに合うデザイン画像の公開から、デザイン画像の絞り込みまでにおける広告用デザイン募集サーバ１１の処理を示すフローチャートである。図９は、図７に示す流れの中で、絞り込まれたデザイン画像の公開から、決定されたデザイン画像の通知までにおける広告用デザイン募集サーバ１１の処理を示すフローチャートである。
【０１５４】
なお、図７に示す流れの中で、広告コンセプトに合うデザイン画像が登録されるまでにおける広告用デザイン募集サーバ１１の処理は、図４に示す処理と同様であるので、説明を省略する。また、図８におけるステップＳ３１〜Ｓ３９の処理については、図５に示すステップＳ１１〜Ｓ１９の処理と同様であるので説明を省略する。
【０１５５】
図８に示すステップＳ４０では、広告用デザイン募集サーバ１１は、デザイン絞込手段として、投票結果に基づいて、デザイン登録データベース１１２ｂに登録された複数のデザイン画像のデータのうちから所定数のデザイン画像に絞り込み、その絞り込まれたデザイン画像の情報をデザイン登録データベース１１２ｂに登録する。
【０１５６】
より具体的には、広告用デザイン募集サーバ１１は、デザイン登録データベース１１２ｂに登録されたポイント数を、登録されたデザイン画像毎に集計し、当該集計結果に基づいて、登録された複数のデザイン画像のデータのうちから所定数のデザインに絞り込む。例えば、最も投票の多かった順に、３〜５個のデザイン画像に絞り込まれることになる。
【０１５７】
次に、図９において、不特定者が端末１５から、例えば、デザイン支援業者のサイトのＵＲＬを指定して、広告用デザイン募集サーバ１１にアクセスすると、広告用デザイン募集サーバ１１は、これに応じ、デザイン支援業者のホームページを端末１５に提供（送信）する（ステップＳ６１）。このようなホームページ上には、絞り込まれたデザイン画像の公開を要求するためのボタン等が設けられている。不特定者が、端末１５のマウスにより絞り込まれたデザイン画像の公開を要求するためのボタンをクリックすると、広告用デザイン募集サーバ１１は、これに応じ（ステップＳ６２）、絞込デザイン公開手段として、デザイン登録データベース１１２ｂに登録され、絞り込まれた所定数のデザイン画像のデータを、インターネット１７を介して端末１５に対して公開するとともに、当該デザイン画像の投票入力を促す（ステップＳ６３）。より具体的には、広告用デザイン募集サーバ１１は、絞り込まれた所定数のデザイン画像、投票を促す旨および、所定数のデザイン画像のうち何れかのデザイン画像を選択（投票）するためのボタン等が記述されたＷｅｂページを端末１５に提供（送信）する。
【０１５８】
このようなＷｅｂページが端末１５のディスプレイに表示された状態で、不特定者が、端末１５から所望のデザイン画像の投票を行うと、広告用デザイン募集サーバ１１は、これに応じ、第２デザイン投票受付手段として、かかる投票を受付ける（ステップＳ６４）。次に、広告用デザイン募集サーバ１１は、受付けられた投票に対応するデザイン画像のデータに対応付けて、予め設定されたポイント数（例えば、１ポイント）をデザイン登録データベース１１２ｂに登録する（ステップＳ６５）。
【０１５９】
以上のような絞り込まれたデザイン画像のデータの公開は所定期間行われることになる。つまり、広告用デザイン募集サーバ１１は、絞り込みデザイン画像の公開開始から所定期間が経過したか否かを判断し（ステップＳ６６）、所定期間が経過した場合に、ステップＳ６７の処理を実行する。
【０１６０】
ステップＳ６７では、広告用デザイン募集サーバ１１は、デザイン決定手段として、上記絞り込みデザインの投票結果に基づいて、広告用着衣の表面に表示されるべきデザイン画像を決定し、その情報を決定されたデザイン画像のデータに対応付けてデザイン登録データベース１１２ｂに登録する。より具体的には、広告用デザイン募集サーバ１１は、デザイン登録データベース１１２ｂに登録されたポイント数を、登録されたデザイン画像毎に集計し、当該集計結果に基づいて、上記絞り込まれた所定数のデザイン画像のうち、広告用着衣の表面に表示されるべきデザイン画像を決定する。例えば、最も投票の多かったデザイン画像が広告用着衣の表面に表示されるべきデザイン画像として決定されることになる。
【０１６１】
そして、広告用デザイン募集サーバ１１は、第１実施形態と同様、決定されたデザイン画像のデータを、インターネット１７を介して広告用着衣の製造者の端末１６に対して通知する（ステップＳ６８）。
【０１６２】
以上説明した通り、第２実施形態によれば、広告主により提供される広告用着衣の表面に表示されるデザイン画像であって、広告主の広告コンセプトに合うデザイン画像を、一般会員から募集し、募集されたデザイン画像の投票をデザイナーや、カリスマデザイナーにより行い所定数に絞り込んだ後、一般公開して再度投票を行うので、より一般の消費者等に受け入れられるデザイン画像を決定することができる。
【０１６３】
なお、上記第２実施形態においても、第１実施形態の変形例と同様、登録された複数のデザイン画像を特定会員の端末１４のみに対して公開（フェーズＦ１４）するとともに、当該デザイン画像の投票入力を促すように構成してもよい。
【０１６４】
また、上記第２実施形態においても、一般会員から広告コンセプトに合うデザイン画像を募集するように構成したが、特定会員及び／又は不特定者からも募集するように構成してもよい。
【０１６５】
（第３実施形態）
次に、図１０を参照して、第３実施形態における広告用デザイン募集システム１を用い、広告主が広告コンセプトを提供してから広告用着衣が一般消費者に渡るまでの流れについて説明する。
【０１６６】
図１０は、第３実施形態において、広告主が広告コンセプトを提供してから、広告用着衣が一般消費者に渡るまでの流れを示す概念図である。なお、図１０に示すフェーズＦ２１〜Ｆ２５までの流れは、第１実施形態における図２に示すフェーズＦ１〜Ｆ５と同様であるので説明を省略する。
【０１６７】
フェーズＦ２５にて、デザイン画像の投票入力が行われると、次に、広告用デザイン募集サーバ１１は、受付けられた投票結果に基づいて、登録された複数のデザイン画像の人気度を示すランキングを決定し、当該ランキングを不特定者の端末１５に公開するとともに、当該ランキング中のデザイン画像の投票入力を促す（フェーズＦ２６）。つまり、一般会員である多くのデザイナーから集められたデザイン画像の人気度を示すランキングが一般人に示され、その中で、どのデザイン画像が広告主の広告コンセプトに合うデザイン画像であるかの投票が、一般人に促される。
【０１６８】
次に、不特定者は、端末１５から広告用デザイン募集サーバ１１に、デザイン画像の投票入力を行う（フェーズＦ２７）。次に、広告用デザイン募集サーバ１１は、受付けられた投票結果に基づいて、人気度を示すランキング中のデザイン画像のうち、広告用着衣の表面に表示されるべきデザイン画像を決定し、製造者の端末１６に当該デザイン画像を通知する（フェーズＦ２８）。これ以降の流れは、第１実施形態と同様である。
【０１６９】
第３実施形態における広告用デザイン募集サーバ１１の構成についても、図３に示す構成となっている。従って、第３実施形態における広告用デザイン募集サーバ１１の構成および機能については、主に、第１実施形態と異なる部分について説明する。
【０１７０】
第３実施形態における広告用デザイン募集サーバ１１における処理部１１１は、第１実施形態と同様、広告用デザイン募集処理プログラムにより、広告コンセプト受付手段、デザイン募集手段、デザイン登録手段、デザイン公開手段、第１デザイン投票受付手段（第１実施形態においては、デザイン投票受付手段）、端末判断手段、ポイント登録手段、デザイン決定手段およびデザイン通知手段として機能し、さらに、ランキング決定手段、ランキング公開手段および第２デザイン投票受付手段としても機能する。
【０１７１】
次に、図１１および図１２を参照して、第３実施形態における広告用デザイン募集サーバ１１を主体とした広告用デザイン募集システム１の動作について説明する。
【０１７２】
図１１は、図１０に示す流れの中で、広告コンセプトに合うデザイン画像の公開から、当該デザイン画像の人気度を示すランキング決定までにおける広告用デザイン募集サーバ１１の処理を示すフローチャートである。図１２は、図１０に示す流れの中で、デザイン画像の人気度を示すランキングの公開から、決定されたデザイン画像の通知までにおける広告用デザイン募集サーバ１１の処理を示すフローチャートである。
【０１７３】
なお、図１０に示す流れの中で、広告コンセプトに合うデザイン画像が登録されるまでにおける広告用デザイン募集サーバ１１の処理は、図４に示す処理と同様であるので、説明を省略する。また、図１１におけるステップＳ７１〜Ｓ７９の処理については、図５に示すステップＳ１１〜Ｓ１９の処理と同様であるので説明を省略する。
【０１７４】
図１１に示すステップＳ８０では、広告用デザイン募集サーバ１１は、ランキング決定手段として、投票結果に基づいて、デザイン登録データベース１１２ｂに登録された複数のデザイン画像の人気度を示すランキングを決定し、かかるランキングをデザイン登録データベース１１２ｂに登録する。
【０１７５】
より具体的には、広告用デザイン募集サーバ１１は、デザイン登録データベース１１２ｂに登録されたポイント数を、登録されたデザイン画像毎に集計し、当該集計結果に基づいて、登録された複数のデザインの人気度を示すランキングを決定する。例えば、投票が多かった順に１位から所定位までのランキングが決定されることになる。
【０１７６】
次に、図１１において、不特定者が端末１５から、例えば、デザイン支援業者のサイトのＵＲＬを指定して、広告用デザイン募集サーバ１１にアクセスすると、広告用デザイン募集サーバ１１は、これに応じ、デザイン支援業者のホームページを端末１５に提供（送信）する（ステップＳ１０１）。このようなホームページ上には、デザイン画像の人気度を示すランキングの公開を要求するためのボタン等が設けられている。不特定者が、端末１５のマウスにより当該ランキングの公開を要求するためのボタンをクリックすると、広告用デザイン募集サーバ１１は、これに応じ（ステップＳ１０２）、ランキング公開手段として、デザイン登録データベース１１２ｂに登録されたデザイン画像の人気度を示すランキングを、インターネット１７を介して端末１５に対して公開するとともに、当該ランキング中のデザイン画像の投票入力を促す（ステップＳ１０３）。より具体的には、広告用デザイン募集サーバ１１は、デザイン画像の人気度を示すランキング、ランキング中のデザイン画像、投票を促す旨および、ランキング中のデザイン画像を選択（投票）するためのボタン等が記述されたＷｅｂページを端末１５に提供（送信）する。
【０１７７】
このようなＷｅｂページが端末１５のディスプレイに表示された状態で、不特定者が、端末１５から所望のデザイン画像の投票を行うと、広告用デザイン募集サーバ１１は、これに応じ、第２デザイン投票受付手段として、かかる投票を受付ける（ステップＳ１０４）。次に、広告用デザイン募集サーバ１１は、受付けられた投票に対応するデザイン画像のデータに対応付けて、予め設定されたポイント数（例えば、１ポイント）をデザイン登録データベース１１２ｂに登録する（ステップＳ１０５）。
【０１７８】
以上のようなランキングの公開は所定期間行われることになる。つまり、広告用デザイン募集サーバ１１は、当該ランキングの公開開始から所定期間が経過したか否かを判断し（ステップＳ１０６）、所定期間が経過した場合に、ステップＳ１０７の処理を実行することになる。
【０１７９】
ステップＳ１０７では、広告用デザイン募集サーバ１１は、デザイン決定手段として、上記ランキング中のデザインの投票結果に基づいて、広告用着衣の表面に表示されるべきデザイン画像を決定し、その情報を決定されたデザイン画像のデータに対応付けてデザイン登録データベース１１２ｂに登録する。
【０１８０】
より具体的には、広告用デザイン募集サーバ１１は、デザイン登録データベース１１２ｂに登録されたポイント数を、登録されたデザイン画像毎に集計し、当該集計結果に基づいて、上記ランキング中のデザイン画像のうち、広告用着衣の表面に表示されるべきデザイン画像を決定する。例えば、最も投票の多かったデザイン画像が広告用着衣の表面に表示されるべきデザイン画像として決定されることになる。
【０１８１】
そして、広告用デザイン募集サーバ１１は、第１実施形態と同様、決定されたデザイン画像のデータを、インターネット１７を介して広告用着衣の製造者の端末１６に対して通知する（ステップＳ１０８）。
【０１８２】
以上説明した通り、第３実施形態によれば、広告主により提供される広告用着衣の表面に表示されるデザイン画像であって、広告主の広告コンセプトに合うデザイン画像を、一般会員から募集し、募集されたデザイン画像の投票をデザイナーや、カリスマデザイナーにより行い、デザイン画像の人気度を示すランキングを決定し一般公開して再度投票を行うので、当該ランキングはどのデザイン画像に対して投票を行うかの目安になり、より一般の消費者等に受け入れられるデザイン画像を決定することができる。
【０１８３】
なお、上記第３実施形態においても、第１実施形態の変形例と同様、登録された複数のデザイン画像を特定会員の端末１４のみに対して公開（フェーズＦ２４）するとともに、当該デザイン画像の投票入力を促すように構成してもよい。
【０１８４】
また、上記第３実施形態においても、一般会員から広告コンセプトに合うデザイン画像を募集するように構成したが、特定会員及び／又は不特定者からも募集するように構成してもよい。
【０１８５】
（第４実施形態）
上記第１〜第３実施形態においては、広告用デザイン募集サーバ１１は、デザイン決定手段として、広告用着衣の表面に表示されるべきデザイン画像を決定した後、そのデザイン画像を広告用着衣の製造者の端末１６に対して通知するように構成したが、第４実施形態においては、決定されたデザイン画像の色彩及び／又は模様を投票により決定するように構成する。
【０１８６】
第４実施形態における広告用デザイン募集サーバ１１の構成についても、図３に示す構成となっている。第４実施形態における広告用デザイン募集サーバ１１における処理部１１１は、第１〜第３実施形態の何れかと同様の機能を有する。即ち、第４実施形態においては、広告用着衣の表面に表示されるべきデザイン画像が決定されるまで、上記第１実施形態〜第３実施形態における何れかの処理と同様に行われる。そして、第４実施形態における広告用デザイン募集サーバ１１における処理部１１１は、さらに、デザイン色彩・模様公開手段、デザイン色彩・模様投票受付手段およびデザイン色彩・模様決定手段として機能する。
【０１８７】
図１３を参照して、第４実施形態における広告用デザイン募集サーバ１１を主体とした広告用デザイン募集システム１の動作について説明する。
【０１８８】
図１３は、決定されたデザイン画像の色彩及び／又は模様の投票から決定までにおける広告用デザイン募集サーバ１１の処理を示すフローチャートである。なお、かかる処理の開始前に、デザイン登録データベース１１２ｂには、決定されたデザイン画像に対してそれぞれ異なった色彩及び／又は模様が施された複数のデザイン画像がデザイン支援業者により登録される。つまり、決定された１つのデザイン画像に対して、青、赤、黄色等、或いはこれらの組合せの色彩がそれぞれ施されたデザイン画像や、水玉模様、市松模様等の模様、或いはこれらの組合せの模様がそれぞれ施されたデザイン画像や、色彩と模様の組合せが施されたデザイン画像などがデザイン登録データベース１１２ｂに登録される。
【０１８９】
図１３において、先ず、不特定者が端末１５から、例えば、デザイン支援業者のサイトのＵＲＬを指定して、広告用デザイン募集サーバ１１にアクセスすると、広告用デザイン募集サーバ１１は、これに応じ、デザイン支援業者のホームページを端末１５に提供（送信）する（ステップＳ２０１）。
【０１９０】
このようなホームページ上には、色彩及び／又は模様が施されたデザイン画像の公開を要求するためのボタン等が設けられている。不特定者が、端末１５のマウスにより色彩及び／又は模様が施されたデザイン画像の公開を要求するためのボタンをクリックすると、広告用デザイン募集サーバ１１は、これに応じ（ステップＳ２０２）、デザイン色彩・模様公開手段として、デザイン登録データベース１１２ｂに登録されたそれぞれ異なった色彩及び／又は模様が施された複数のデザイン画像を、インターネット１７を介して端末１５に対して公開するとともに、当該デザイン画像の投票入力を促す（ステップＳ２０３）。より具体的には、広告用デザイン募集サーバ１１は、それぞれ異なった色彩及び／又は模様が施された複数のデザイン画像、投票を促す旨および、当該デザイン画像を選択（投票）するためのボタン等が記述されたＷｅｂページを端末１５に提供（送信）する。
【０１９１】
このようなＷｅｂページが端末１５のディスプレイに表示された状態で、不特定者が、端末１５から所望のデザイン画像の投票を行うと、広告用デザイン募集サーバ１１は、これに応じ、デザイン色彩・模様投票受付手段として、かかる投票を受付ける（ステップＳ２０４）。
【０１９２】
なお、広告用デザイン募集サーバ１１は、決定されたデザイン画像を、インターネット１７を介して端末１５に対して公開するとともに、当該デザイン画像に施すべき複数の色彩及び／又は模様を公開して選択を促し、端末１５からの色彩及び／又は模様の選択に応じて、当該選択された色彩及び／又は模様を、決定されたデザイン画像に施して当該端末１５に公開し、当該デザイン画像の投票入力を促すように構成してもよい。つまり、広告用デザイン募集サーバ１１は、不特定者に対し、決定されたデザイン画像に任意に色彩及び／又は模様を施すようにさせることができ、この結果、色彩及び／又は模様が施されたデザイン画像の投票入力を促すことができる。これにより、不特定者は、端末１５のディスプレイ上で、キーボード等を操作して、決定されたデザイン画像に対し任意に色彩及び／又は模様を施すことができ、色彩及び／又は模様が施されたデザイン画像の投票入力を行うことができる。
【０１９３】
次に、広告用デザイン募集サーバ１１は、受付けられた投票に対応する色彩及び／又は模様が施されたデザイン画像のデータに対応付けて、予め設定されたポイント数（例えば、１ポイント）をデザイン登録データベース１１２ｂに登録する（ステップＳ２０５）。
【０１９４】
以上のような色彩及び／又は模様が施されたデザイン画像の公開は所定期間行われることになる。つまり、広告用デザイン募集サーバ１１は、色彩及び／又は模様が施されたデザイン画像の公開開始から所定期間が経過したか否かを判断し（ステップＳ２０６）、所定期間が経過した場合に、ステップＳ２０７の処理を実行する。
【０１９５】
ステップＳ２０７では、広告用デザイン募集サーバ１１は、デザイン色彩・模様決定手段として、上記投票結果に基づいて、決定されたデザイン画像の色彩及び／又は模様を決定し、その情報を決定されたデザイン画像のデータに対応付けてデザイン登録データベース１１２ｂに登録する。より具体的には、広告用デザイン募集サーバ１１は、デザイン登録データベース１１２ｂに登録されたポイント数を、登録された色彩及び／又は模様が施されたデザイン画像毎に集計し、当該集計結果に基づいて、決定されたデザイン画像の色彩及び／又は模様を決定する。例えば、最も投票の多かった色彩及び／又は模様が決定されることになる。
【０１９６】
そして、広告用デザイン募集サーバ１１は、決定されたデザイン画像の色彩及び／又は模様を示す情報を、インターネット１７を介して広告用着衣の製造者の端末１６に対して通知する（ステップＳ２０８）。
【０１９７】
以上説明した通り、第４実施形態によれば、決定されたデザイン画像の色彩及び／又は模様をも、投票によって決定するようにしたので、より一層、広告コンセプトに合うデザイン画像を広告主に提供することができる。
【０１９８】
なお、上記第４実施形態においては、不特定者が端末１５からの投票によりデザイン画像の色彩及び／又は模様を決定するように構成したが、一般会員の端末１３若しくは特定会員の端末１４からの投票によりデザイン画像の色彩及び／又は模様を決定するように構成してもよい。この場合、例えば、第１実施形態の図４に示すステップＳ３の会員認証を行うようにする。
【０１９９】
（第５実施形態）
第４実施形態では、決定されたデザイン画像の色彩及び／又は模様を投票により決定するように構成したが、第５実施形態においては、決定されたデザイン画像の広告用着衣における位置及び／又は大きさを投票により決定するように構成する。
【０２００】
第５実施形態における広告用デザイン募集サーバ１１の構成についても、図３に示す構成となっている。第５実施形態における広告用デザイン募集サーバ１１における処理部１１１は、第１〜第３実施形態の何れかと同様の機能を有する。即ち、第５実施形態においては、第４実施形態と同様、広告用着衣の表面に表示されるべきデザイン画像が決定されるまで、上記第１実施形態〜第３実施形態における何れかの処理と同様に行われる。そして、第５実施形態における広告用デザイン募集サーバ１１における処理部１１１は、さらに、デザイン位置・大きさ公開手段、デザイン位置・大きさ投票受付手段および、デザイン位置・大きさ決定手段として機能する。
【０２０１】
図１４を参照して、第５実施形態における広告用デザイン募集サーバ１１を主体とした広告用デザイン募集システム１の動作について説明する。
【０２０２】
図１４は、決定されたデザイン画像の広告用着衣における位置及び／又は大きさの投票から決定までにおける広告用デザイン募集サーバ１１の処理を示すフローチャートである。なお、かかる処理の開始前に、デザイン登録データベース１１２ｂには、広告用着衣の表面に対してそれぞれ異なった位置及び／又は大きさにて、決定されたデザイン画像が表示された複数の広告用着衣画像がデザイン支援業者により登録される。つまり、Ｔシャツ、トレーナー等の広告用着衣に対して決定されたデザイン画像が中央部に大きく表示されたり、下部に小さく表示されたり、前面に小さく複数表示されたりした広告用着衣画像などがデザイン登録データベース１１２ｂに登録される。
【０２０３】
図１４において、先ず、不特定者が端末１５から、例えば、デザイン支援業者のサイトのＵＲＬを指定して、広告用デザイン募集サーバ１１にアクセスすると、広告用デザイン募集サーバ１１は、これに応じ、デザイン支援業者のホームページを端末１５に提供（送信）する（ステップＳ３０１）。
【０２０４】
このようなホームページ上には、広告用着衣の表面に対してデザイン画像が表示された広告用着衣画像の公開を要求するためのボタン等が設けられている。不特定者が、端末１５のマウスにより当該広告用着衣画像の公開を要求するためのボタンをクリックすると、広告用デザイン募集サーバ１１は、これに応じ（ステップＳ３０２）、デザイン位置・大きさ公開手段として、デザイン登録データベース１１２ｂに登録された、広告用着衣の表面に対してそれぞれ異なった位置及び／又は大きさにてデザイン画像が表示された複数の広告用着衣画像を、インターネット１７を介して端末１５に対して公開するとともに、当該広告用着衣画像の投票入力を促す（ステップＳ３０３）。より具体的には、広告用デザイン募集サーバ１１は、広告用着衣の表面に対してそれぞれ異なった位置及び／又は大きさにてデザイン画像が表示された複数の広告用着衣画像、投票を促す旨および、当該広告用着衣画像を選択（投票）するためのボタン等が記述されたＷｅｂページを端末１５に提供（送信）する。
【０２０５】
このようなＷｅｂページが端末１５のディスプレイに表示された状態で、不特定者が、端末１５から所望の広告用着衣画像の投票を行うと、広告用デザイン募集サーバ１１は、これに応じ、デザイン位置・大きさ投票受付手段として、かかる投票を受付ける（ステップＳ３０４）。
【０２０６】
なお、広告用デザイン募集サーバ１１は、決定されたデザイン画像および、当該デザイン画像を表示すべき広告用着衣画像を、インターネット１７を介して端末１５に対して公開するとともに、当該デザイン画像の当該広告用着衣における位置及び／又は大きさの指示を促し、端末１５からの指示に応じた位置及び／又は大きさで決定されたデザイン画像を広告用着衣画像上に表示して当該端末１５に公開し、当該広告用着衣画像の投票入力を促すように構成してもよい。つまり、広告用デザイン募集サーバ１１は、不特定者に対し、決定されたデザイン画像を拡大、縮小、回転、移動等させることによって、デザイン画像を任意の位置及び／又は大きさで広告用着衣画像上に表示させることができ、この結果、当該デザイン画像が表示された広告用着衣画像の投票入力を促すことができる。これにより、不特定者は、端末１５のディスプレイ上で、キーボード等を操作して、決定されたデザイン画像を拡大、縮小、回転、移動等させることによって、デザイン画像を任意の位置及び／又は大きさで広告用着衣画像上に表示させることができ、当該デザイン画像が表示された広告用着衣画像の投票入力を行うことができる。
【０２０７】
次に、広告用デザイン募集サーバ１１は、受付けられた投票に対応する広告用着衣画像におけるデザイン画像の位置及び／又は大きさを、そのデザイン画像のデータに対応付けて、予め設定されたポイント数（例えば、１ポイント）をデザイン登録データベース１１２ｂに登録する（ステップＳ３０５）。
【０２０８】
以上のような広告用着衣画像の公開は所定期間行われることになる。つまり、広告用デザイン募集サーバ１１は、当該広告用着衣画像の公開開始から所定期間が経過したか否かを判断し（ステップＳ３０６）、所定期間が経過した場合に、ステップＳ３０７の処理を実行することになる。
【０２０９】
ステップＳ３０７では、広告用デザイン募集サーバ１１は、デザイン位置・大きさ決定手段として、上記投票結果に基づいて、決定されたデザイン画像の広告用着衣における位置及び／又は大きさを決定し、その情報を決定されたデザイン画像のデータに対応付けてデザイン登録データベース１１２ｂに登録する。より具体的には、広告用デザイン募集サーバ１１は、デザイン登録データベース１１２ｂに登録されたポイント数を、広告用着衣における位置及び／又は大きさのデザイン画像毎に集計し、当該集計結果に基づいて、決定されたデザイン画像の広告用着衣における位置及び／又は大きさを決定する。例えば、最も投票の多かった位置及び／又は大きさが決定されることになる。
【０２１０】
そして、広告用デザイン募集サーバ１１は、デザイン通知手段として、決定されたデザイン画像の広告用着衣における位置及び／又は大きさを示す情報を、インターネット１７を介して広告用着衣の製造者の端末１６に対して通知する（ステップＳ３０８）。
【０２１１】
以上説明した通り、第５実施形態によれば、決定されたデザイン画像の広告用着衣における位置及び／又は大きさをも、投票によって決定するようにしたので、最も広告コンセプトに合う広告用着衣を広告主に提供することができる。
【０２１２】
なお、上記第５実施形態においては、不特定者が端末１５からの投票によりデザイン画像の広告用着衣における位置及び／又は大きさを決定するように構成したが、一般会員の端末１３若しくは特定会員の端末１４からの投票によりデザイン画像の広告用着衣における位置及び／又は大きさを決定するように構成してもよい。この場合、例えば、第１実施形態の図４に示すステップＳ３の会員認証を行うようにする。
【０２１３】
また、上記第４実施形態と第５実施形態を併用するように構成してもよい。
【０２１４】
また、以上説明した実施形態においては、広告主から提供された広告コンセプトに合う広告デザイン画像が投票を経て決定され、その広告主に提供される場合について説明したが、決定された広告デザイン画像を他の広告主に使用させるための募集を行うように構成してもよい。
【０２１５】
具体的には、広告用デザイン募集サーバ１１が、上記決定されたデザイン画像を、インターネット１７上で、他の広告主の端末１２や不特定者の端末１５等に対して公開するとともに、当該デザインの使用を募集する。そして、広告主の端末１２や不特定者の端末１５等からインターネット１７を介して当該デザイン画像の使用の希望があった場合（例えば、Ｗｅｂページ上に記述された使用を希望するボタンがクリックされた場合）、広告用デザイン募集サーバ１１は、これに応じ、その決定されたデザイン画像に対応する広告コンセプトを提供した広告主の端末１２に当該デザイン画像の使用の希望があったことを示す情報を通知する。そして、広告主の端末１２からデザイン画像の使用許諾（例えば、許諾の対価等の条件を付す）があった場合、広告用デザイン募集サーバ１１は、使用許諾およびその条件を示す情報を、当該デザイン画像の使用を希望した端末に通知する。
【０２１６】
なお、上記実施形態において、公開されたデザイン画像の無断盗用防止のため、デザイン画像を無断で複製等した場合には、著作権侵害になる旨の警告文をＷｅｂページ上に記述しておくようにする。
【０２１７】
【発明の効果】
以上説明した通り、本発明によれば、広告主により提供される広告用着衣の表面に表示されるデザイン画像であって、広告主の広告コンセプトに合うデザイン画像を募集し、募集されたデザイン画像の投票を行うので、より洗練され、最も広告主の広告コンセプトに合うデザイン画像を決定することができる。
【図面の簡単な説明】
【図１】本実施形態における広告用デザイン募集システムの概略構成を示すブロック図である。
【図２】第１実施形態において、広告主が広告コンセプトを提供してから、広告用着衣が一般消費者に渡るまでの流れを示す概念図である。
【図３】広告用デザイン募集サーバ１１の機能ブロックを示す図である。
【図４】図２に示す流れの中で、広告コンセプトに合うデザイン画像が登録されるまでにおける広告用デザイン募集サーバ１１の処理を示すフローチャートである。
【図５】図２に示す流れの中で、広告コンセプトに合うデザイン画像の公開から、決定されたデザイン画像の通知までにおける広告用デザイン募集サーバ１１の処理を示すフローチャートである。
【図６】端末１３若しくは端末１４のディスプレイ上に表示されたデザイン画像投票を促すためのＷｅｂページ例を示す図である。
【図７】第２実施形態において、広告主が広告コンセプトを提供してから、広告用着衣が一般消費者に渡るまでの流れを示す概念図である。
【図８】図７に示す流れの中で、広告コンセプトに合うデザイン画像の公開から、デザイン画像の絞り込みまでにおける広告用デザイン募集サーバ１１の処理を示すフローチャートである。
【図９】図７に示す流れの中で、絞り込まれたデザイン画像の公開から、決定されたデザイン画像の通知までにおける広告用デザイン募集サーバ１１の処理を示すフローチャートである。
【図１０】第３実施形態において、広告主が広告コンセプトを提供してから、広告用着衣が一般消費者に渡るまでの流れを示す概念図である。
【図１１】図１０に示す流れの中で、広告コンセプトに合うデザイン画像の公開から、当該デザイン画像の人気度を示すランキング決定までにおける広告用デザイン募集サーバ１１の処理を示すフローチャートである。
【図１２】図１０に示す流れの中で、デザイン画像の人気度を示すランキングの公開から、決定されたデザイン画像の通知までにおける広告用デザイン募集サーバ１１の処理を示すフローチャートである。
【図１３】決定されたデザイン画像の色彩及び／又は模様の投票から決定までにおける広告用デザイン募集サーバ１１の処理を示すフローチャートである。
【図１４】決定されたデザイン画像の広告用着衣における位置及び／又は大きさの投票から決定までにおける広告用デザイン募集サーバ１１の処理を示すフローチャートである。
【符号の説明】
１　広告用デザイン募集システム
１１　広告用デザイン募集サーバ
１２　広告主の端末
１３　一般会員の端末
１４　特定会員の端末
１５　不特定者の端末
１６　広告用着衣の製造者の端末
１７　インターネット
１１１　処理部
１１２　記憶部
１１３　通信部
【図１】
2004021798.tif 000003
【図２】
2004021798.tif 000004
【図３】
2004021798.tif 000005
【図４】
2004021798.tif 000006
【図５】
2004021798.tif 000007
【図６】
2004021798.tif 000008
【図７】
2004021798.tif 000009
【図８】
2004021798.tif 000010
【図９】
2004021798.tif 000011
【図１０】
2004021798.tif 000012
【図１１】
2004021798.tif 000013
【図１２】
2004021798.tif 000014
【図１３】
2004021798.tif 000015
【図１４】
2004021798.tif 000016